(57)【特許請求の範囲】
【請求項１】
Ｎ個（但し、Ｎは２以上の自然数）の部分配光パターンが重畳された所定配光パターンを形成するように構成された車両用灯具において、
前記Ｎ個の部分配光パターンに対応して設けられたＮ本の光ファイバと、
前記Ｎ本の光ファイバに対応して設けられたＮ個のレーザー光源と、
前記Ｎ個のレーザー光源それぞれに対応して設けられた複数の回折光学素子と、
前記レーザー光源ごとに、当該レーザー光源に対応する前記複数の回折光学素子のいずれかを当該レーザー光源からのレーザー光の光路中に配置するアクチュエータと、
前記Ｎ本の光ファイバにより伝搬されるレーザー光を用いて前記所定配光パターンを形成する灯具ユニットと、
を備えており、
前記複数の回折光学素子は、それぞれ、前記Ｎ個のレーザー光源のうち対応するレーザー光源からのレーザー光の光路中に配置された場合、当該レーザー光源からのレーザー光を回折により相互に異なる分光比で前記Ｎ本の光ファイバそれぞれの入射端面に向けて偏向させるように構成されており、
前記アクチュエータは、前記Ｎ本の光ファイバのうち少なくとも一つの光ファイバの出射端面から出射するレーザー光の出力が相対的に高くなるように、前記レーザー光源ごとに、当該レーザー光源からのレーザー光の光路中に配置される回折光学素子を切り替えることで、前記Ｎ個の部分配光パターンのうち少なくとも一つの部分配光パターンの光度を変更する車両用灯具。
【請求項２】
予め定められた複数の配光のうち特定の配光が、手動で又は車両に取り付けられたセンサからの情報に基づき、自動で選択された場合、前記アクチュエータは、当該手動又は自動で選択された特定の配光が形成されるように、前記レーザー光源ごとに、当該レーザー光源からのレーザー光の光路中に配置される回折光学素子を切り替える請求項１に記載の車両用灯具。
【請求項３】
前記回折光学素子は、ホログラム光学素子（ＨＯＥ）又はブレーズ型回折光学素子（ＤＯＥ）である請求項１又は２に記載の車両用灯具。
【発明の詳細な説明】
【技術分野】
【０００１】
本発明は、車両用灯具に係り、特に、複数のレーザー光源を用いた車両用灯具に関する。
【背景技術】
【０００２】
従来、複数のレーザー光源を用いた車両用灯具が提案されている（例えば、特許文献１参照）。
【０００３】
図３５は、特許文献１に記載の車両用灯具３０１の概略構成図である。
【０００４】
図３５に示すように、特許文献１に記載の車両用灯具３０１は、複数のレーザー光源３０２、複数のレーザー光源３０２に対応して設けられた複数の集光レンズ３１１及び複数の光ファイバ３１２、レンズ３１３、反射ミラー３１４、発光部３０４（波長変換部材）、リフレクタ３０５等を備え、各々の集光レンズ３１１で集光され、各々の光ファイバ３１２の入射端部（入射端面）から導入され、各々の出射端部（出射端面）から出射し、レンズ３１３で集光され、反射ミラー３１４で反射された複数のレーザー光源３０２からのレーザー光により励起発光する発光部３０４（波長変換部材）を光源としている。
【先行技術文献】
【特許文献】
【０００５】
【特許文献１】特開２０１３−１６２７７号公報
【発明の概要】
【発明が解決しようとする課題】
【０００６】
しかしながら、上記構成の車両用灯具３０１においては、発光部３０４（波長変換部材）からの光を単純にリフレクタ３０５で反射させて前方に照射する構成であるため、複数の部分配光パターンが重畳された所定配光パターン、例えば、ホット用部分配光パターン、これより拡散されたミッド用部分配光パターン及びこれより拡散されたワイド用部分配光パターンが重畳された走行ビーム用配光パターンを形成することができず、しかも、車両周囲の状況に応じて複数の部分配光パターンのうち特定の部分配光パターンの光度を変更することができないという問題がある。
【０００７】
本発明は、このような事情に鑑みてなされたものであり、複数の部分配光パターンが重畳された所定配光パターン（例えば、走行ビーム用配光パターン又はすれ違いビーム用配光パターン）を形成するように構成された車両用灯具において、少なくとも一つの部分配光パターンの光度を変更することを目的とする。
【課題を解決するための手段】
【００１３】
請求項１に記載の発明は、Ｎ個（但し、Ｎは２以上の自然数）の部分配光パターンが重畳された所定配光パターンを形成するように構成された車両用灯具において、前記Ｎ個の部分配光パターンに対応して設けられたＮ本の光ファイバと、前記Ｎ本の光ファイバに対応して設けられたＮ個のレーザー光源と、前記Ｎ個のレーザー光源それぞれに対応して設けられた複数の回折光学素子と、前記レーザー光源ごとに、当該レーザー光源に対応する前記複数の回折光学素子のいずれかを当該レーザー光源からのレーザー光の光路中に配置するアクチュエータと、前記Ｎ本の光ファイバにより伝搬されるレーザー光を用いて前記所定配光パターンを形成する灯具ユニットと、を備えており、前記複数の回折光学素子は、それぞれ、前記Ｎ個のレーザー光源のうち対応するレーザー光源からのレーザー光の光路中に配置された場合、当該レーザー光源からのレーザー光を回折により相互に異なる分光比で前記Ｎ本の光ファイバそれぞれの入射端面に向けて偏向させるように構成されており、前記アクチュエータは、前記Ｎ本の光ファイバのうち少なくとも一つの光ファイバの出射端面から出射するレーザー光の出力が相対的に高くなるように、前記レーザー光源ごとに、当該レーザー光源からのレーザー光の光路中に配置される回折光学素子を切り替えることで、前記Ｎ個の部分配光パターンのうち少なくとも一つの部分配光パターンの光度を変更する車両用灯具であることを特徴とする。 
【００１４】
請求項１に記載の発明によれば、複数の部分配光パターンが重畳された所定配光パターン（例えば、走行ビーム用配光パターン又はすれ違いビーム用配光パターン）を形成するように構成された車両用灯具において、少なくとも一つの部分配光パターンの光度を変更することができる。その結果、所定配光パターン（例えば、走行ビーム用配光パターン又はすれ違いビーム用配光パターン）を、車両周囲の状況に応じた（すなわち、走行環境に適した）ものとすることができる。 
【００１５】
これは、Ｎ本の光ファイバのうち少なくとも一つの光ファイバの出射端面から出射するレーザー光の出力が相対的に高くなるように、レーザー光源ごとに、当該レーザー光源からのレーザー光の光路中に配置される回折光学素子が切り替えられること、そして、その出力が相対的に高くなったレーザー光で特定の部分配光パターンが形成されること、によるものである。
【００１６】
また、請求項１に記載の発明によれば、各々のレーザー光源のレーザー光出力を変更することなく（すなわち、各々のレーザー光源のレーザー光出力を一定に保ったまま）、少なくとも一つの部分配光パターンの光度を変更することができる。 
【００１７】
これは、レーザー光源ごとに、当該レーザー光源からのレーザー光の光路中に配置される回折光学素子を切り替えることで、特定の部分配光パターンの光度が変更されることによるものである。
【００１８】
請求項２に記載の発明は、請求項１に記載の発明において、予め定められた複数の配光のうち特定の配光が、手動で又は車両に取り付けられたセンサからの情報に基づき、自動で選択された場合、前記アクチュエータは、当該手動又は自動で選択された特定の配光が形成されるように、前記レーザー光源ごとに、当該レーザー光源からのレーザー光の光路中に配置される回折光学素子を切り替えることを特徴とする。 
【００１９】
請求項２に記載の発明によれば、手動又は自動で、所定配光パターン（例えば、走行ビーム用配光パターン又はすれ違いビーム用配光パターン）を、車両周囲の状況に応じた（すなわち、走行環境に適した）ものとすることができる。 
【００２０】
請求項３に記載の発明は、請求項１又は２に記載の発明において、前記回折光学素子は、ホログラム光学素子（ＨＯＥ）又はブレーズ型回折光学素子（ＤＯＥ）であることを特徴とする。
【００２１】
請求項３に記載の発明によれば、各々のレーザー光源からのレーザー光を高効率で偏向させることができる。
【発明の効果】
【００２２】
本発明によれば、複数の部分配光パターンが重畳された所定配光パターン（例えば、走行ビーム用配光パターン又はすれ違いビーム用配光パターン）を形成するように構成された車両用灯具において、少なくとも一つの部分配光パターンの光度を変更することができる。
【図面の簡単な説明】
【００２３】
【図１】本実施形態の結合分配器７０を用いた車両用灯具１００の概略構成図である。
【図２】（ａ）車両用灯具１００により車両前面に正対した仮想鉛直スクリーン（車両前面から約２５ｍ前方に配置されている）上に形成される走行ビーム用配光パターンＰHiの例、（ｂ）すれ違いビーム用配光パターンＰLoの例である。
【図３】灯具ユニット４０の概略図である。
【図４】灯具ユニット４０の斜視図である。
【図５】灯具ユニット４０の正面図である。
【図６】図５に示した灯具ユニット４０のＡ−Ａ断面図である。
【図７】図６に示した灯具ユニット４０のＡ−Ａ断面斜視図である。
【図８】１軸非共振・１軸共振タイプの光偏光器２０１の斜視図である。
【図９】（ａ）第１圧電アクチュエータ２０３、２０４に電圧を印加していない状態の図、（ｂ）電圧を印加している状態の図である。
【図１０】（ａ）第２圧電アクチュエータ２０５、２０６に電圧を印加していない状態の図、（ｂ）電圧を印加している状態の図である。
【図１１】（ａ）ミラー部２０２の第１軸Ｘ１を中心とする最大振り角を説明するための図、（ｂ）ミラー部２０２の第２軸Ｘ２を中心とする最大振り角を説明するための図である。
【図１２】（ａ）波長変換部材１８の正面図、（ｂ）上面図、（ｃ）側面図である。
【図１３】（ａ）第１軸Ｘ１を中心とするミラー部２０２の機械振れ角（半角）と、第１圧電アクチュエータ２０３、２０４に印加される駆動電圧との関係を表すグラフ、（ｂ）第２軸Ｘ２を中心とするミラー部２０２の機械振れ角（半角）と、第２圧電アクチュエータ２０５、２０６に印加される駆動電圧との関係を表すグラフである。
【図１４】各々の光偏光器２０１Wide、２０１Mid、２０１Hot（のミラー部２０２の中心）と波長変換部材１８との間の距離を同一（又は略同一）とした場合、走査領域ＡWide、ＡMid、ＡHotのサイズを変えるために満たすべき条件等をまとめた表である。
【図１５】（ａ）図１４（ａ）に記載の「Ｌ」及び「βh_max」を説明するための図、（ｂ）図１４（ｂ）に記載の「Ｓ」、「βv_max」及びＬを説明するための図である。
【図１６】各々の光偏光器２０１Wide、２０１Mid、２０１Hot（のミラー部２０２の中心）と波長変換部材１８との間の距離を変えた例である。
【図１７】各々の光偏光器２０１Wide、２０１Mid、２０１Hotに印加される駆動電圧を同一（又は略同一）とした場合、走査領域ＡWide、ＡMid、ＡHotのサイズを変えるために満たすべき条件等をまとめた表である。
【図１８】灯具ユニット４０（変形例）の縦断面図である。
【図１９】（ａ）結合分配器７０の縦断面図（概略図）、（ｂ）図１９（ａ）に示す結合分配器７０のＡ１−Ａ１断面図である。
【図２０】半導体レーザーＬＤ（ＬＤLL1、ＬＤLL2、ＬＤLL3）の概略斜視図である。
【図２１】（ａ）回折光学素子８０DO1-1〜８０DO1-3の例、（ｂ）回折光学素子８０DO1-1〜８０DO1-3の他の例である。
【図２２】レーザー光ＲａｙLL1が回折光学素子８０DO1（８０DO1-1〜８０DO1-3）での回折により分光される様子を表す図である。
【図２３】光ファイバ３６Mid、３６Hot、回折光学素子８０DO1、レーザー光源７４LL1等の関係を説明するための図である。
【図２４】回折光学素子８０DO1（８０DO1-1〜８０DO1-3）での回折により形成（再生）される輝光Ｂ1/3、Ｂ1/3、Ｂ1/3の例である。
【図２５】レーザー光ＲａｙLL2が回折光学素子８０DO2（８０DO2-1〜８０DO2-3）での回折により分光される様子を表す図である。
【図２６】回折光学素子８０DO2（８０DO2-1〜８０DO2-3）での回折により形成（再生）される輝光Ｂ1/3、Ｂ1/3、Ｂ1/3の例である。
【図２７】レーザー光ＲａｙLL3が回折光学素子８０DO3（８０DO3-1〜８０DO3-3）での回折により分光される様子を表す図である。
【図２８】回折光学素子８０DO3（８０DO3-1〜８０DO3-3）での回折により形成（再生）される輝光Ｂ1/3、Ｂ1/3、Ｂ1/3の例である。
【図２９】（ａ）ホログラム光学素子による再生の基本概念を説明するための図、（ｂ）ブレーズ型回折光学素子として構成される回折光学素子８０DO1〜８０DO3の一部拡大断面図である。
【図３０】結合分配器７０の機能的構成を表す機能ブロック図である。
【図３１】結合分配器７０の基本動作を示すフローチャートである。
【図３２】（ａ）手動又は自動で選択された配光と、当該配光が選択された場合に用いられる回折光学素子８０DO1〜８０DO3との関係をまとめた表、（ｂ）手動又は自動で選択された配光と、当該配光が選択された場合の分光比等との関係をまとめた表である。
【図３３】（ａ）集光レンズ７８Wide、７８Mid、７８Hotの具体例、（ｂ）集光レンズ７８Wide、７８Mid、７８Hotに、その光軸に対して平行な光線が入射した場合に、当該光線が集光されて、光ファイバの入射面に入射する様子を表した図、（ｃ）集光レンズ７８Wide、７８Mid、７８Hotに、その光軸に対して１０°傾いた光線が入射した場合に、当該光線が集光されて、光ファイバの入射面に入射する様子を表した図である。
【図３４】変形例である車両用灯具１００Ａの概略構成図である。
【図３５】特許文献１に記載の車両用灯具３０１の概略構成図である。
【発明を実施するための形態】
【００２４】
以下、本発明の一実施形態である結合分配器７０を用いた車両用灯具１００について、図面を参照しながら説明する。
【００２５】
図１は、本実施形態の結合分配器７０を用いた車両用灯具１００の概略構成図である。
【００２６】
図１に示すように、車両用灯具１００は、結合分配器７０、ワイド用の光ファイバ３６Wide、ミドル用の光ファイバ３６Mid、ホット用の光ファイバ３６Hot、灯具ユニット４０等を備えている。灯具ユニット４０は、エクステンション１２とともに、アウターレンズ１６とこれに組み付けられたハウジング２２とで構成される灯室２４内に配置されている。なお、符号２６が示す部材は固定及び光軸調整機構である。結合分配器７０は、制御回路２８とともに筐体３０内に収容されてモジュール化されている。
【００２７】
光ファイバ３６Wide、３６Mid、３６Hotの入射端部は、それぞれ、結合分配器７０の光ファイバ取付部７２Wide、７２Mid、７２Hotに取り付けられている。そして、光ファイバ３６Wide、３６Mid、３６Hotの出射端部は、それぞれ、灯具ユニット４０に取り付けられている。
【００２８】
灯具ユニット４０は、各々の光ファイバ３６Wide、３６Mid、３６Hotにより伝搬されるレーザー光を用いて図２（ａ）に示す走行ビーム用配光パターンＰHiを形成する灯具ユニットとして構成されている。図２（ａ）は、車両用灯具１００により車両前面に正対した仮想鉛直スクリーン（車両前面から約２５ｍ前方に配置されている）上に形成される走行ビーム用配光パターンＰHiの例で、各部分配光パターンＰHi_Wide、ＰHi_Mid、ＰHi_Hotが重畳されることで形成される。
【００２９】
走行ビーム用配光パターンＰHiは、本発明の「Ｎ個の部分配光パターンが重畳された所定配光パターン」に相当する。ワイド用の光ファイバ３６Wide、ミドル用の光ファイバ３６Mid、ホット用の光ファイバ３６Hotは、本発明の「Ｎ個の部分配光パターンに対応して設けられたＮ本の光ファイバ」に相当する。灯具ユニット４０は、本発明の「Ｎ本の光ファイバにより伝搬されるレーザー光を用いて前記所定配光パターンを形成する灯具ユニット」に相当する。図１は、Ｎが３の例である。もちろん、これに限らず、Ｎは２以上の自然数であればよい。
【００３０】
もちろん、これに限らず、灯具ユニット４０は、各々の光ファイバ３６Wide、３６Mid、３６Hotにより伝搬されるレーザー光を用いて図２（ｂ）に示すすれ違いビーム用配光パターンＰLoを形成する灯具ユニットとして構成されていてもよい。図２（ｂ）は、すれ違いビーム用配光パターンＰLoの例で、各部分配光パターンＰLo_Wide、ＰLo_Mid、ＰLo_Hotが重畳されることで形成される。
【００３１】
灯具ユニット４０は、図３〜図７に示すように、３つの光ファイバ３６Wide、３６Mid、３６Hot（出射端部）に対応して設けられた３つの光偏光器２０１Wide、２０１Mid、２０１Hot、３つの光偏光器２０１Wide、２０１Mid、２０１Hotに対応して設けられた３つの走査領域ＡWide、ＡMid、ＡHot（図３参照）を含む波長変換部材１８、３つの走査領域ＡWide、ＡMid、ＡHotそれぞれに形成される光度分布を投影して、走行ビーム用配光パターンＰHi（又はすれ違いビーム用配光パターンＰLo）を形成する光学系としての投影レンズ２０等を備えたいわゆるダイレクトプロジェクション型（直射型とも称される）の灯具ユニットとして構成されている。
【００３２】
図６に示すように、投影レンズ２０、波長変換部材１８、光偏光器２０１（２０１Wide、２０１Mid、２０１Hot）は、この順に、車両前後方向に延びる基準軸ＡＸ（光軸とも称される）に沿って配置されている。
【００３３】
光ファイバ３６Wide、３６Mid、３６Hot（出射端部）は、それぞれから出射するレーザー光ＲａｙWide、ＲａｙMid、ＲａｙHotが後方、かつ、基準軸ＡＸ寄りに向かうように傾斜した姿勢で光ファイバ保持部４６に固定されて、基準軸ＡＸを取り囲むように配置されている。
【００３４】
具体的には、光ファイバ３６Wide、３６Mid、３６Hot（出射端部）は、次のように光ファイバ保持部４６に固定されて配置されている。
【００３５】
光ファイバ保持部４６は、基準軸ＡＸ方向に延びる筒部４８の外周面のうち上部、下部、左部、右部それぞれから基準軸ＡＸに対して略直交する方向に放射状に延びる延長部５０Ｕ、５０Ｄ、５０Ｌ、５０Ｒを含んでいる（図５参照）。各々の延長部５０Ｕ、５０Ｄ、５０Ｌ、５０Ｒの先端部は後方に向かって傾斜しており（図６参照）、各々の延長部５０Ｕ、５０Ｄ、５０Ｌ、５０Ｒ間には、放熱部５４（放熱フィン）が配置されている（図５参照）。
【００３６】
ワイド用の光ファイバ３６Wideは、図６に示すように、そのレーザー光ＲａｙWideが後方斜め上方向に向かって進行するように傾斜した姿勢で延長部５０Ｄの先端部に固定されている。同様に、ミドル用の光ファイバ３６Midは、そのレーザー光ＲａｙMidが後方斜め下方向に向かって進行するように傾斜した姿勢で延長部５０Ｕの先端部に固定されている。同様に、ホット用の光ファイバ３６Hotは、そのレーザー光ＲａｙHotが正面視で後方斜め右方向に向かって進行するように傾斜した姿勢で延長部５０Ｌの先端部に固定されている。
【００３７】
投影レンズ２０（レンズ２０Ａ〜２０Ｄ）が固定されたレンズホルダ５６は、その後端部が筒部４８の先端開口に螺合することで、当該筒部４８に固定されている。
【００３８】
各々の光ファイバ３６Wide、３６Mid、３６Hot（出射端面）から出射するレーザー光ＲａｙWide、ＲａｙMid、ＲａｙHotは、各々の集光レンズ１４で集光されて（例えばコリメートされて）各々の光偏光器２０１Wide、２０１Mid、２０１Hot（各々のミラー部２０２）に入射する。
【００３９】
光偏光器２０１Wide、２０１Mid、２０１Hotは、例えば、ＭＥＭＳスキャナである。光偏光器の駆動方式には大別して圧電方式、静電方式、電磁方式があるが、いずれの方式であってもよい。
【００４０】
圧電方式には大別して１軸非共振・１軸共振タイプ、２軸非共振タイプ、２軸共振タイプがあるが、いずれの方式であってもよい。
【００４１】
以下、圧電方式かつ１軸非共振・１軸共振タイプの光偏光器を代表して説明する。
【００４２】
図８は、１軸非共振・１軸共振タイプの光偏光器２０１の斜視図である。
【００４３】
図８に示すように、１軸非共振・１軸共振タイプの光偏光器２０１は、ミラー部２０２（ＭＥＭＳミラーとも称される）と、ミラー部２０２をトーションバー２１１ａ、２１１ｂを介して駆動する第１圧電アクチュエータ２０３、２０４と、第１圧電アクチュエータ２０３、２０４を支持する可動枠２１２と、可動枠２１２を駆動する第２圧電アクチュエータ２０５、２０６と、第２圧電アクチュエータ２０５、２０６を支持する台座２１５とを備えている。
【００４４】
ミラー部２０２は円形形状で、その両端から外側へ延びたトーションバー２１１ａ、２１１ｂが連結されている。また、ミラー部２０２を囲むように、半円弧形状の第１圧電アクチュエータ２０３、２０４が空隙を隔てて設けられている。第１圧電アクチュエータ２０３、２０４は、それぞれの一方の端部が一方のトーションバー２１１ａを挟んで対向して連結され、それぞれの他方の端部が他方のトーションバー２１１ｂを挟んで対向して連結されている。また、第１圧電アクチュエータ２０３、２０４は、その円弧部の中心位置の外側が、ミラー部２０２と第１圧電アクチュエータ２０３、２０４とを囲むように設けられた可動枠２１２に連結されて支持されている。
【００４５】
可動枠２１２は矩形形状で、トーションバー２１１ａ、２１１ｂに直交する方向の１対の両側が、可動枠２１２を挟んで対向した第２圧電アクチュエータ２０５、２０６の先端部にそれぞれ連結されている。また、第２圧電アクチュエータ２０５、２０６は、その基端部が、可動枠２１２と第２圧電アクチュエータ２０５、２０６とを囲むように設けられた台座２１５上の支持体基端部２１４に連結されて支持されている。
【００４６】
第１圧電アクチュエータ２０３、２０４は、それぞれ、図９（ａ）に示すように、支持体２０３ａ、２０４ａと下部電極２０３ｂ、２０４ｂと圧電体２０３ｃ、２０４ｃと上部電極２０３ｄ、２０４ｄとを有する１つの圧電カンチレバーを備えている。
【００４７】
図８に示すように、第２圧電アクチュエータ２０５、２０６は、それぞれ、６つの圧電カンチレバー２０５Ａ〜２０５Ｆ、２０６Ａ〜２０６Ｆがそれぞれの端部において折り返すように連結されて、全体として蛇腹状の圧電アクチュエータを構成している。各々の圧電カンチレバー２０５Ａ〜２０５Ｆ、２０６Ａ〜２０６Ｆは、第１圧電アクチュエータ２０３、２０４が有する圧電カンチレバーと同様の構成とされている。
【００４８】
次に、ミラー部２０２の動作（第１軸Ｘ１周りの揺動）について説明する。
【００４９】
図９（ａ）（ｂ）には、図８に示すＡＡ断面図が示されている。図９（ａ）は第１圧電アクチュエータ２０３、２０４に電圧を印加していない状態を示し、図９（ｂ）は電圧を印加している状態を示す。
【００５０】
図９（ｂ）に示すように、第１圧電アクチュエータ２０３、２０４の上部電極２０３ｄ、２０４ｄと下部電極２０３ｂ、２０４ｂとの間にそれぞれ互いに逆極性の電圧±Ｖｄを印加して駆動させると、互いに逆方向に屈曲変形する。この屈曲変形により、トーションバー２１１ｂが図９（ｂ）に示すように回転する。トーションバー２１１ａも同様である。このトーションバー２１１ａ、２１１ｂの回転に応じてミラー部２０１が可動枠２１２に対して第１軸Ｘ１を中心に揺動する。
【００５１】
次に、ミラー部２０２の動作（第２軸Ｘ２周りの揺動）について説明する。
【００５２】
図１０（ａ）は第２圧電アクチュエータ２０５、２０６に電圧を印加していない状態を示し、図１０（ｂ）は電圧を印加している状態を示す。
【００５３】
図１０（ｂ）に示すように、第２圧電アクチュエータ２０６に電圧を印加して、可動枠２１２側から奇数番目の圧電カンチレバー２０６Ａ、２０６Ｃ、２０６Ｅを上方向に屈曲変形させると共に、偶数番目の圧電カンチレバー２０６Ｂ、２０６Ｄ、２０６Ｆを下方向に屈曲変形させる。これにより、圧電アクチュエータ２０６では、各圧電カンチレバー２０６Ａ〜２０６Ｆの屈曲変形の大きさを加算した大きさの角度変位が発生する。第２圧電アクチュエータ２０５についても同様である。この角度変位により、可動枠２１２（及びこれに保持されたミラー部２０２）が台座２１５に対して第１軸Ｘ１と直交する第２軸Ｘ２を中心に回転する。なお、第１軸Ｘ１と第２軸Ｘ２は、ミラー部２０２の中心（重心）において直交している。
【００５４】
ミラー部２０２のミラー部支持体、トーションバー２１１ａ、２１１ｂ、第１圧電アクチュエータ２０３、２０４の支持体、可動枠２１２、第２圧電アクチュエータ２０５、２０６の支持体、台座２１５上の支持体基端部２１４は、シリコン基板を形状加工することにより１枚の支持体として一体的に形成されている。さらに、台座２１５もシリコン基板から形成され、シリコン基板を形状加工することにより前記１枚の支持体と一体的に形成されている。このようにシリコン基板を形状加工する手法については、例えば、特開２００８−４０２４０号公報に詳細に記載されている。また、ミラー部２０２と可動枠２１２との間には空隙が設けられ、ミラー部２０２が可動枠２１２に対して第１軸Ｘ１を中心に所定角度まで揺動可能となっている。また、可動枠２１２と台座２１５との間には空隙が設けられ、可動枠２１２（及びこれに支持されたミラー部２０２）が台座２１５に対して第２軸Ｘ２を中心に所定角度まで揺動可能となっている。
【００５５】
光偏光器２０１は、各々の圧電アクチュエータ２０３〜２０６に駆動電圧を印加するための電極セット２０７、２０８を備えている。
【００５６】
一方の電極セット２０７は、第１圧電アクチュエータ２０３に駆動電圧を印加するための上部電極パッド２０７ａと、第２圧電アクチュエータ２０５の先端部から奇数番目の圧電カンチレバー２０５Ａ、２０５Ｃ、２０５Ｅに駆動電圧を印加するための第１上部電極パッド２０７ｂと、第２圧電アクチュエータ２０５の先端部から偶数番目の圧電カンチレバー２０５Ｂ、２０５Ｄ、２０５Ｆに駆動電圧を印加するための第２上部電極パッド２０７ｃと、上部電極パッド２０７ａ〜２０７ｃの共通の下部電極として用いられる共通下部電極２０７ｄとを含んでいる。
【００５７】
同様に、他方の電極セット２０８は、第１圧電アクチュエータ２０４に駆動電圧を印加するための上部電極パッド２０８ａと、第２圧電アクチュエータ２０６の先端部から奇数番目の圧電カンチレバー２０６Ａ、２０６Ｃ、２０６Ｅに駆動電圧を印加するための第１上部電極パッド２０８ｂと、第２圧電アクチュエータ２０５の先端部から偶数番目の圧電カンチレバー２０６Ｂ、２０６Ｄ、２０６Ｆに駆動電圧を印加するための第２上部電極パッド２０８ｃと、これらの３つの上部電極パッド２０８ａ〜２０８ｃの共通の下部電極として用いられる共通下部電極２０８ｄとを含んでいる。
【００５８】
本実施形態では、第１圧電アクチュエータ２０３に駆動電圧として第１交流電圧を印加し、第１圧電アクチュエータ２０４に駆動電圧として第２交流電圧を印加する。第１交流電圧と第２交流電圧とは、互いに逆位相或いは位相のずれた交流電圧（例えば正弦波）とする。その際、トーションバー２１１ａ、２１１ｂを含むミラー部２０２の機械的な共振周波数（第一次共振点）付近の周波数の交流電圧を印加して、第１圧電アクチュエータ２０３、２０４を共振駆動させる。これにより、ミラー部２０２が可動枠２１２に対して第１軸Ｘ１を中心に往復揺動し、ミラー部２０２に入射する光ファイバ３６Wide、３６Mid、３６Hot（出射端面）からのレーザー光が第１方向（例えば水平方向）に走査される。
【００５９】
また、第２圧電アクチュエータ２０５、２０６にそれぞれ駆動電圧として第３交流電圧を印加する。その際、ミラー部２０２、トーションバー２１１ａ、２１１ｂ、及び第１圧電アクチュエータ２０３、２０４を含む可動枠２１２の機械的な共振周波数（第一次共振点）より小さい所定値以下の周波数の交流電圧を印加して、第２圧電アクチュエータ２０５、２０６を非共振駆動させる。これにより、ミラー部２０２が台座２１５に対して第２軸Ｘ２を中心に往復揺動し、ミラー部２０２に入射する光ファイバ３６Wide、３６Mid、３６Hot（出射端面）からのレーザー光が第２方向（例えば垂直方向）に走査される。
【００６０】
１軸非共振・１軸共振タイプの光偏光器２０１は、第１軸Ｘ１が鉛直面に含まれ、第２軸Ｘ２が水平面に含まれた状態で配置されている。光偏光器２０１をこのように配置することで、車両用前照灯において求められる、水平方向にワイドで垂直方向に薄い所定配光パターン（所定配光パターンに対応する二次元像）を容易に形成（描画）することができる。その理由は次のとおりである。
【００６１】
すなわち、１軸非共振・１軸共振タイプの光偏光器２０１においては、ミラー部２０２の第２軸Ｘ２を中心とする最大振り角より、ミラー部２０２の第１軸Ｘ１を中心とする最大振り角が大きくなる。例えば、ミラー部２０２の第１軸Ｘ１を中心とする往復揺動が共振駆動によるものであるため、ミラー部２０２の第１軸Ｘ１を中心とする最大振り角が図１１（ａ）に示すように１０〜２０度となるのに対して、ミラー部２０２の第２軸Ｘ２を中心とする往復揺動が非共振駆動によるものであるため、ミラー部２０２の第２軸Ｘ２を中心とする最大振り角が図１１（ｂ）に示すように７度程度となる。その結果、１軸非共振・１軸共振タイプの光偏光器２０１を上記のように配置することで、車両用前照灯において求められる、水平方向にワイドで垂直方向に薄い所定配光パターン（所定配光パターンに対応する二次元像）を容易に形成（描画）することができる。
【００６２】
以上のように各々の圧電アクチュエータ２０３〜２０６の駆動により、ミラー部２０２に入射する光ファイバ３６Wide、３６Mid、３６Hot（出射端面）からのレーザー光が二次元的に（水平方向及び垂直方向に）走査される。
【００６３】
上記のように構成された光偏光器２０１Wide、２０１Mid、２０１Hotは、それぞれ、図７に示すように、光ファイバ３６Wide、３６Mid、３６Hot（出射端部）のうち対応する光ファイバ（出射端面）から出射するレーザー光が各々のミラー部２０２に入射し、かつ、各々のミラー部２０２からの反射光としてのレーザー光が走査領域ＡWide、ＡMid、ＡHotのうち対応する走査領域に向かうように、光ファイバ３６Wide、３６Mid、３６Hot（出射端部）より基準軸ＡＸ寄り、かつ、当該基準軸ＡＸを取り囲むように配置されている。
【００６４】
具体的には、光偏光器２０１Wide、２０１Mid、２０１Hotは、次のように光偏光器保持部５８に固定されて配置されている。
【００６５】
光偏光器保持部５８は前方に突出した四角錐形状の前面を含んでおり、当該四角錐形状の前面は、図７に示すように、上面５８Ｕ、下面５８Ｄ、左面５８Ｌ、右面５８Ｒ（図示せず）により構成されている。
【００６６】
ワイド用光偏光器２０１Wideは、そのミラー部２０２がワイド用の光ファイバ３６Wide（出射端面）から出射するレーザー光ＲａｙWideの光路上に位置した状態で、四角錐形状の前面のうち下面５８Ｄに傾斜した姿勢で固定されている。同様に、ミドル用光偏光器２０１Midは、そのミラー部２０２がミドル用の光ファイバ３６Mid（出射端面）から出射するレーザー光ＲａｙMidの光路上に位置した状態で、四角錐形状の前面のうち上面５８Ｕに傾斜した姿勢で固定されている。同様に、ホット用光偏光器２０１Hotは、そのミラー部２０２がホット用の光ファイバ３６Hot（出射端面）から出射するレーザー光ＲａｙHotの光路上に位置した状態で、四角錐形状の前面のうち正面視で左側に配置された左面５８Ｌに傾斜した姿勢で固定されている。
【００６７】
各々の光偏光器２０１Wide、２０１Mid、２０１Hotは、第１軸Ｘ１が鉛直面に含まれ、第２軸Ｘ２が水平面に含まれた状態で配置されている。各々の光偏光器２０１Wide、２０１Mid、２０１Hotをこのように配置することで、車両用前照灯において求められる、水平方向にワイドで垂直方向に薄い所定配光パターン（所定配光パターンに対応する二次元像）を容易に形成（描画）することができる。
【００６８】
ワイド用光偏光器２０１Wideは、そのミラー部２０２によって水平方向及び垂直方向に二次元的に走査されるレーザー光ＲａｙWideにより、ワイド用走査領域ＡWideに第１二次元像を描画することで、当該ワイド用走査領域ＡWideに第１光度分布を形成する。
【００６９】
具体的には、ＭＥＭＳ電源回路６８Wide（図３０参照）が、ＣＰＵ８８からの指示に従い、ワイド用光偏光器２０１Wideの第１圧電アクチュエータ２０３、２０４に第１、第２交流電圧を印加して当該第１圧電アクチュエータ２０３、２０４を共振駆動させることで、ワイド用光偏光器２０１Wideのミラー部２０２を第１軸Ｘ１を中心に往復揺動させ、かつ、ワイド用光偏光器２０１Wideの第２圧電アクチュエータ２０５、２０６に第３交流電圧を印加して当該第２圧電アクチュエータ２０５、２０６を非共振駆動させることで、ワイド用光偏光器２０１Wideのミラー部２０２を第２軸Ｘ２を中心に往復揺動させる。これにより、ミラー部２０２に入射するレーザー光が二次元的に（水平方向及び垂直方向に）走査されて、ワイド用走査領域ＡWideに第１光度分布が形成される。
【００７０】
ミドル用光偏光器２０１Midは、そのミラー部２０２によって水平方向及び垂直方向に二次元的に走査されるレーザー光ＲａｙMidにより、ミドル用走査領域ＡMidに第１二次元像の一部に重なった状態で第２二次元像を描画することで、当該ミドル用走査領域ＡMidに第１光度分布より光度が高い第２光度分布を形成する。
【００７１】
具体的には、ＭＥＭＳ電源回路６８Mid（図３０参照）が、ＣＰＵ８８からの指示に従い、ミドル用光偏光器２０１Midの第１圧電アクチュエータ２０３、２０４に第１、第２交流電圧を印加して当該第１圧電アクチュエータ２０３、２０４を共振駆動させることで、ミドル用光偏光器２０１Midのミラー部２０２を第１軸Ｘ１を中心に往復揺動させ、かつ、ミドル用光偏光器２０１Midの第２圧電アクチュエータ２０５、２０６に第３交流電圧を印加して当該第２圧電アクチュエータ２０５、２０６を非共振駆動させることで、ミドル用光偏光器２０１Midのミラー部２０２を第２軸Ｘ２を中心に往復揺動させる。これにより、ミラー部２０２に入射するレーザー光が二次元的に（水平方向及び垂直方向に）走査されて、ミドル用走査領域ＡMidに第２光度分布が形成される。
【００７２】
図３に示すように、ミドル用走査領域ＡMidはワイド用走査領域ＡWideより小サイズで、かつ、ワイド用走査領域ＡWideの一部と重なっている。その結果、当該重なったミドル用走査領域ＡMidに形成される光度分布が相対的に高くなる。
【００７３】
ホット用光偏光器２０１Hotは、そのミラー部２０２によって水平方向及び垂直方向に二次元的に走査されるレーザー光ＲａｙHotにより、ホット用走査領域ＡHotに第１二次元像の一部及び第２二次元像の一部に重なった状態で第３二次元像を描画することで、当該ホット用走査領域ＡHotに第２光度分布より光度が高い第３光度分布を形成する。
【００７４】
具体的には、ＭＥＭＳ電源回路６８Hot（図３０参照）が、ＣＰＵ８８からの指示に従い、ホット用光偏光器２０１Hotの第１圧電アクチュエータ２０３、２０４に第１、第２交流電圧を印加して当該第１圧電アクチュエータ２０３、２０４を共振駆動させることで、ホット用光偏光器２０１Hotのミラー部２０２を第１軸Ｘ１を中心に往復揺動させ、かつ、ホット用光偏光器２０１Hotの第２圧電アクチュエータ２０５、２０６に第３交流電圧を印加して当該第２圧電アクチュエータ２０５、２０６を非共振駆動させることで、ホット用光偏光器２０１Hotのミラー部２０２を第２軸Ｘ２を中心に往復揺動させる。これにより、ミラー部２０２に入射するレーザー光が二次元的に（水平方向及び垂直方向に）走査されて、ホット用走査領域ＡHotに第３光度分布が形成される。
【００７５】
図３に示すように、ホット用走査領域ＡHotはミドル用走査領域ＡMidより小サイズで、かつ、ミドル用走査領域ＡMidの一部と重なっている。その結果、当該重なったホット用走査領域ＡHotに形成される光度分布が相対的に高くなる。
【００７６】
なお、各々の走査領域ＡWide、ＡMid、ＡHotは、図３に例示した外形が矩形の領域に限らず、例えば、外形が円形、楕円形又はそれ以外の各種の形状の領域であってもよい。
【００７７】
図１２（ａ）は波長変換部材１８の正面図、図１２（ｂ）は上面図、図１２（ｃ）は側面図である。
【００７８】
図１２（ａ）〜図１２（ｃ）に示すように、波長変換部材１８は、外形が矩形形状の板状（例えば、水平方向の長さ：１８ｍｍ、垂直方向の長さ：９ｍｍ）の波長変換部材（蛍光体パネルとも称される）として構成されている。
【００７９】
波長変換部材１８は、光偏光器２０１Wide、２０１Mid、２０１Hotが二次元的に（水平方向及び垂直方向に）走査するレーザー光を受けて当該レーザー光の少なくとも一部を異なる波長の光に変換する外形が矩形形状の板状（又は層状）の波長変換部材である。
【００８０】
波長変換部材１８は、図６、図７に示すように、筒部４８の後端開口を閉塞する蛍光体保持部５２に固定されている。具体的には、波長変換部材１８は、その後面１８ａの外形に沿った周囲が蛍光体保持部５２に形成された開口５２ａ周囲に固定されており、当該開口５２ａを覆った状態で投影レンズ２０の焦点Ｆ近傍に配置されている。
【００８１】
例えば、各々の光ファイバ３６Wide、３６Mid、３６Hot（出射端面）から出射するレーザー光ＲａｙWide、ＲａｙMid、ＲａｙHotが青色域のレーザー光である場合、波長変換部材１８として青色域のレーザー光によって励起されて黄色光を発光する外形が矩形形状の板状（又は層状）の蛍光体が用いられる。波長変換部材１８には、光偏光器２０１Wide、２０１Mid、２０１Hotが二次元的に（水平方向及び垂直方向に）走査する青色域のレーザー光により部分配光パターンＰHi_Wide、ＰHi_Hot、ＰHi_Midに対応する二次元像が白色の像として描画される。二次元像が白色の像として描画されるのは、青色域のレーザー光が照射された場合、波長変換部材１８は、これを透過する青色域のレーザー光と青色域のレーザー光による発光（黄色光）との混色による白色光（疑似白色光）を放出することによるものである。
【００８２】
一方、各々の光ファイバ３６Wide、３６Mid、３６Hot（出射端面）から出射するレーザー光ＲａｙWide、ＲａｙMid、ＲａｙHotが近紫外域のレーザー光である場合、波長変換部材１８として近紫外域のレーザー光によって励起されて赤、緑、青の３色の光を発光する外形が矩形形状の板状（又は層状）の蛍光体が用いられる。波長変換部材１８には、光偏光器２０１Wide、２０１Mid、２０１Hotが二次元的に（水平方向及び垂直方向に）走査する近紫外域のレーザー光により部分配光パターンＰHi_Wide、ＰHi_Hot、ＰHi_Midに対応する二次元像が白色の像として描画される。二次元像が白色の像として描画されるのは、近紫外域のレーザー光が照射された場合、波長変換部材１８は、近紫外域のレーザー光による発光（赤、緑、青の３色の光）の混色による白色光（疑似白色光）を放出することによるものである。
【００８３】
各々の光ファイバ３６Wide、３６Mid、３６Hot（出射端面）から出射するレーザー光ＲａｙWide、ＲａｙMid、ＲａｙHotは、集光レンズ１４で集光されて（例えばコリメートされて）光偏光器２０１Wide、２０１Mid、２０１Hot（ミラー部）に入射する。
【００８４】
投影レンズ２０は、図６、図７に示すように、像面が平面になるように収差（像面湾曲）が補正され（かつ色収差が補正され）た４枚のレンズ２０Ａ〜２０Ｄ群からなる投影レンズとして構成されている。この場合、波長変換部材１８は、平板形状のものが用いられ、像面（平面）に沿って配置される。投影レンズ２０の焦点Ｆは、波長変換部材１８近傍に位置している。この投影レンズ２０により、一枚の凸レンズを用いる場合と比べ、走行ビーム用配光パターンＰHiに対する収差の影響を除去することができる。また、波長変換部材１８が平板形状であるため、波長変換部材１８が曲面形状である場合と比べ、その製造が容易となる。さらに、波長変換部材１８が平板形状であるため、波長変換部材１８が曲面形状である場合と比べ、二次元像の描画が容易となる。
【００８５】
なお、投影レンズ２０は、像面が平面になるように収差（像面湾曲）が補正されていない１枚の非球面レンズからなる投影レンズとして構成されていてもよい。この場合、波長変換部材１８は、像面湾曲に対応して湾曲した形状のものが用いられ、像面湾曲に沿って配置される。
【００８６】
投影レンズ２０は、波長変換部材１８（３つの走査領域ＡWide、ＡMid、ＡHot）に形成される光度分布を前方に投影して、仮想鉛直スクリーン上に、走行ビーム用配光パターンＰHi（又はすれ違いビーム用配光パターンＰLo）を形成する。
【００８７】
波長変換部材１８は、最大偏向角βh_max（図１５（ａ）参照）時のワイド用光偏光器２０１Wideのミラー部２０２の中心線ＡＸ202と、最大偏向角βv_max（図１５（ｂ）参照）時のワイド用光偏光器２０１Wideのミラー部２０２の中心線ＡＸ202との間に収まるように配置されている。すなわち、波長変換部材１８は、次の二つの式１、式２を満たすように配置されている。
【００８８】
ｔａｎ（βh_max）≧Ｌ／ｄ  ・・・（式１）
ｔａｎ（βv_max）≧Ｓ／ｄ  ・・・（式２）
但し、Ｌは波長変換部材１８の水平方向長さの１／２、Ｓは波長変換部材１８の垂直方向長さの１／２である。
【００８９】
次に、走査領域ＡWide、ＡMid、ＡHotのサイズ（水平方向の長さ及び垂直方向の長さ）を調整する手法について説明する。
【００９０】
走査領域ＡWide、ＡMid、ＡHotのサイズ（水平方向の長さ及び垂直方向の長さ）は、各々の光偏光器２０１Wide、２０１Mid、２０１Hot（のミラー部２０２の中心）と波長変換部材１８との間の距離を同一（又は略同一）とした場合（図５、図６参照）、第１圧電アクチュエータ２０３、２０４に印加する第１交流電圧、第２交流電圧、第２圧電アクチュエータ２０５、２０６に印加する第３交流電圧を変え、各々の光偏光器２０１Wide、２０１Mid、２０１Hotのミラー部２０２の第１軸Ｘ１を中心とする揺動範囲及び第２軸Ｘ２を中心とする揺動範囲を変えることで調整することができる。その理由は次のとおりである。
【００９１】
すなわち、光偏光器２０１Wide、２０１Mid、２０１Hotにおいては、図１３（ａ）に示すように、第１軸Ｘ１を中心とするミラー部２０２の機械振れ角（半角。縦軸参照）は、第１圧電アクチュエータ２０３、２０４に印加される駆動電圧（横軸参照）が増加するに従って増加する。また、図１３（ｂ）に示すように、第２軸Ｘ２を中心とするミラー部２０２の機械振れ角（半角。縦軸参照）も、第２圧電アクチュエータ２０５、２０６に印加される駆動電圧（横軸参照）が増加するに従って増加する。
【００９２】
したがって、各々の光偏光器２０１Wide、２０１Mid、２０１Hot（のミラー部２０２の中心）と波長変換部材１８との間の距離を同一（又は略同一）とした場合（図５、図６参照）、第１圧電アクチュエータ２０３、２０４に印加する第１交流電圧、第２交流電圧、第２圧電アクチュエータ２０５、２０６に印加する第３交流電圧を変え、各々の光偏光器２０１Wide、２０１Mid、２０１Hotのミラー部２０２の第１軸Ｘ１を中心とする揺動範囲及び第２軸Ｘ２を中心とする揺動範囲を変えることで、走査領域ＡWide、ＡMid、ＡHotのサイズ（水平方向の長さ及び垂直方向の長さ）を調整することができる。
【００９３】
次に、具体的な調整例について説明する。以下の説明では、各々の光偏光器２０１Wide、２０１Mid、２０１Hot（のミラー部２０２の中心）と波長変換部材１８との間の距離が同一（例えば、図１５（ａ）、図１５（ｂ）中のｄ＝２４．０ｍｍ）で、投影レンズ２０の焦点距離が３２ｍｍであるものとする。
【００９４】
例えば、図１４（ａ）中の「ＷＩＤＥ」の行に示すように、ワイド用光偏光器２０１Wideの第１圧電アクチュエータ２０３、２０４に駆動電圧として５．４１Ｖppを印加すると、第１軸Ｘ１を中心とする機械振れ角（半角：γh_max）、最大偏向角（半角：βh_max）がそれぞれ、±９．８度、±１９．７度となる。この場合、ワイド用走査領域ＡWideのサイズ（水平方向の長さ）が、±８．５７ｍｍに調整される。
【００９５】
なお、図１４（ａ）に記載の「Ｌ」及び「βh_max」は、図１５（ａ）に示す距離及び角度を表している。なお、図１４（ａ）等に記載の「ミラー機械半角」（機械半角とも称される）は、ミラー部２０２が実際に動いた角度のことで、ミラー部２０２の法線方向からのなす角でプラスマイナスで表している。一方、図１４（ａ）等に記載の「ミラーの偏向角度」（光学半角とも称される）は、ミラー部で反射したレーザー光（光線）とミラー部２０２の法線方向とのなす角のことで、こちらもミラー部２０２の法線方向からプラスマイナスで表している。フレネルの法則により光学半角は機械半角の２倍となる。
【００９６】
また、図１４（ｂ）中の「ＷＩＤＥ」の行に示すように、ワイド用光偏光器２０１Wideの第２圧電アクチュエータ２０５、２０６に駆動電圧として４１．２Ｖppを印加すると、第１軸Ｘ１を中心とする機械振れ角（半角：γv_max）、最大偏向角（半角：βv_max）がそれぞれ、±４．３度、±８．６度となる。この場合、ワイド用走査領域ＡWideのサイズ（垂直方向の長さ）が、±３．６５ｍｍに調整される。
【００９７】
なお、図１４（ｂ）に記載の「Ｓ」及び「βv_max」は、図１５（ｂ）に示す距離及び角度を表している。
【００９８】
以上のように、ワイド用光偏光器２０１Wideの第１圧電アクチュエータ２０３、２０４に駆動電圧（第１交流電圧、第２交流電圧）として５．４１Ｖppを印加し、第２圧電アクチュエータ２０５、２０６に駆動電圧（第３交流電圧）として４１．２Ｖppを印加し、ワイド用光偏光器２０１Wideのミラー部２０２の第１軸Ｘ１を中心とする揺動範囲及び第２軸Ｘ２を中心とする揺動範囲を変えることで、ワイド用走査領域ＡWideのサイズ（水平方向の長さ及び垂直方向の長さ）を、水平方向が±８．５７ｍｍ、垂直方向が±３．６５ｍｍの矩形に調整することができる。
【００９９】
このワイド用走査領域ＡWideに形成される光度分布は投影レンズ２０によって前方に投影されることで、仮想鉛直スクリーン上に水平方向±１５度、垂直方向±６．５度の矩形のワイド用の部分配光パターンＰHi_Wideを形成する。
【０１００】
一方、図１４（ａ）中の「ＭＩＤ」の行に示すように、ミドル用光偏光器２０１Midの第１圧電アクチュエータ２０３、２０４に駆動電圧として２．３１Ｖppを印加すると、第１軸Ｘ１を中心とする機械振れ角（半角：γh_max）、最大偏向角（半角：βh_max）がそれぞれ、±５．３度、±１１．３度となる。この場合、ミドル用走査領域ＡMidのサイズ（水平方向の長さ）が、±４．７８ｍｍに調整される。
【０１０１】
また、図１４（ｂ）中の「ＭＩＤ」の行に示すように、ミドル用光偏光器２０１Midの第２圧電アクチュエータ２０５、２０６に駆動電圧として２４．４Ｖppを印加すると、第１軸Ｘ１を中心とする機械振れ角（半角：γv_max）、最大偏向角（半角：βv_max）がそれぞれ、±２．３度、±４．７度となる。この場合、ミドル用走査領域ＡMidのサイズ（垂直方向の長さ）が、±１．９６ｍｍに調整される。
【０１０２】
以上のように、ミドル用光偏光器２０１Midの第１圧電アクチュエータ２０３、２０４に駆動電圧（第１交流電圧、第２交流電圧）として２．３１Ｖppを印加し、第２圧電アクチュエータ２０５、２０６に駆動電圧（第３交流電圧）として２４．４Ｖppを印加し、ミドル用光偏光器２０１Midのミラー部２０２の第１軸Ｘ１を中心とする揺動範囲及び第２軸Ｘ２を中心とする揺動範囲を変えることで、ミドル用走査領域ＡMidのサイズ（水平方向の長さ及び垂直方向の長さ）を、水平方向が±４．７８ｍｍ、垂直方向が±１．９６ｍｍの矩形に調整することができる。
【０１０３】
このミドル用走査領域ＡMidに形成される光度分布は投影レンズ２０によって前方に投影されることで、仮想鉛直スクリーン上に水平方向±８．５度、垂直方向±３．５度の矩形のミドル用の部分配光パターンＰHi_Midを形成する。
【０１０４】
一方、図１４（ａ）中の「ＨＯＴ」の行に示すように、ホット用光偏光器２０１Hotの第１圧電アクチュエータ２０３、２０４に駆動電圧として０．９３Ｖppを印加すると、第１軸Ｘ１を中心とする機械振れ角（半角：γh_max）、最大偏向角（半角：βh_max）がそれぞれ、±２．３度、±４．７度となる。この場合、ホット用走査領域ＡHotのサイズ（水平方向の長さ）が、±１．９６ｍｍに調整される。
【０１０５】
また、図１４（ｂ）中の「ＨＯＴ」の行に示すように、ホット用光偏光器２０１Hotの第２圧電アクチュエータ２０５、２０６に駆動電圧として１３．３Ｖppを印加すると、第１軸Ｘ１を中心とする機械振れ角（半角：γv_max）、最大偏向角（半角：βv_max）がそれぞれ、±１．０度、±２．０度となる。この場合、ホット用走査領域ＡHotのサイズ（垂直方向の長さ）が、±０．８４ｍｍに調整される。
【０１０６】
以上のように、ホット用光偏光器２０１Hotの第１圧電アクチュエータ２０３、２０４に駆動電圧（第１交流電圧、第２交流電圧）として０．９３Ｖppを印加し、第２圧電アクチュエータ２０５、２０６に駆動電圧（第３交流電圧）として１３．３Ｖppを印加し、ホット用光偏光器２０１Hotのミラー部２０２の第１軸Ｘ１を中心とする揺動範囲及び第２軸Ｘ２を中心とする揺動範囲を変えることで、ホット用走査領域ＡHotのサイズ（水平方向の長さ及び垂直方向の長さ）を、水平方向が±１．９６ｍｍ、垂直方向が±０．８４ｍｍの矩形に調整することができる。
【０１０７】
このホット用走査領域ＡHotに形成される光度分布は投影レンズ２０によって前方に投影されることで、仮想鉛直スクリーン上に水平方向±３．５度、垂直方向±１．５度の矩形のホット用の部分配光パターンＰHi_Hotを形成する。
【０１０８】
以上のように、各々の光偏光器２０１Wide、２０１Mid、２０１Hot（のミラー部２０２の中心）と波長変換部材１８との間の距離を同一（又は略同一）とした場合（図５、図６参照）、第１圧電アクチュエータ２０３、２０４に印加する駆動電圧（第１交流電圧、第２交流電圧）、第２圧電アクチュエータ２０５、２０６に印加する駆動電圧（第３交流電圧）を変え、各々の光偏光器２０１Wide、２０１Mid、２０１Hotのミラー部２０２の第１軸Ｘ１を中心とする揺動範囲及び第２軸Ｘ２を中心とする揺動範囲を変えることで、走査領域ＡWide、ＡMid、ＡHotのサイズ（水平方向の長さ及び垂直方向の長さ）を調整することができる。
【０１０９】
次に、走査領域ＡWide、ＡMid、ＡHotのサイズ（水平方向の長さ及び垂直方向の長さ）を調整する別の手法について説明する。
【０１１０】
走査領域ＡWide、ＡMid、ＡHotのサイズ（水平方向の長さ及び垂直方向の長さ）は、各々の光偏光器２０１Wide、２０１Mid、２０１Hotに印加される駆動電圧を同一（又は略同一）とした場合、各々の光偏光器２０１Wide、２０１Mid、２０１Hot（のミラー部２０２の中心）と波長変換部材１８との間の距離を変える（例えば、図１６参照）ことで調整することができる。
【０１１１】
次に、具体的な調整例について説明する。以下の説明では、各々の光偏光器２０１Wide、２０１Mid、２０１Hotに印加される駆動電圧が同一で、投影レンズ２０の焦点距離が３２ｍｍであるものとする。
【０１１２】
例えば、図１７（ａ）中の「ＷＩＤＥ」の行に示すように、ワイド用光偏光器２０１Wide（のミラー部２０２の中心）と波長変換部材１８との間の距離を２４．０ｍｍとし、当該ワイド用光偏光器２０１Wideの第１圧電アクチュエータ２０３、２０４に駆動電圧として５．４１Ｖppを印加すると、第１軸Ｘ１を中心とする機械振れ角（半角：γh_max）、最大偏向角（半角：βh_max）がそれぞれ、±９．８度、±１９．７度となる。この場合、ワイド用走査領域ＡWideのサイズ（水平方向の長さ）が、±８．５７ｍｍに調整される。
【０１１３】
なお、図１７（ａ）に記載の「Ｌ」、「βh_max」及び「ｄ」は、図１５（ａ）に示す距離及び角度を表している。
【０１１４】
また、図１７（ｂ）中の「ＷＩＤＥ」の行に示すように、ワイド用光偏光器２０１Wide（のミラー部２０２の中心）と波長変換部材１８との間の距離を２４．０ｍｍとし、当該ワイド用光偏光器２０１Wideの第２圧電アクチュエータ２０５、２０６に駆動電圧として４１．２Ｖppを印加すると、第１軸Ｘ１を中心とする機械振れ角（半角：γv_max）、最大偏向角（半角：βv_max）がそれぞれ、±４．３度、±８．６度となる。この場合、ワイド用走査領域ＡWideのサイズ（垂直方向の長さ）が、±３．６５ｍｍに調整される。
【０１１５】
なお、図１７（ｂ）に記載の「Ｓ」、「βv_max」及び「ｄ」は、図１５（ｂ）に示す距離及び角度を表している。
【０１１６】
以上のように、ワイド用光偏光器２０１Wide（のミラー部２０２の中心）と波長変換部材１８との間の距離を２４．０ｍｍとすることで、ワイド用走査領域ＡWideのサイズ（水平方向の長さ及び垂直方向の長さ）を、水平方向が±８．５７ｍｍ、垂直方向が±３．６５ｍｍの矩形に調整することができる。
【０１１７】
このワイド用走査領域ＡWideに形成される光度分布は投影レンズ２０によって前方に投影されることで、仮想鉛直スクリーン上に水平方向±１５度、垂直方向±６．５度の矩形のワイド用の部分配光パターンＰHi_Wideを形成する。
【０１１８】
一方、図１７（ａ）中の「ＭＩＤ」の行に示すように、ミドル用光偏光器２０１Mid（のミラー部２０２の中心）と波長変換部材１８との間の距離を１３．４ｍｍとし、当該ミドル用光偏光器２０１Midの第１圧電アクチュエータ２０３、２０４に駆動電圧としてワイド用光偏光器２０１Wideの場合と同様、５．４１Ｖppを印加すると、第１軸Ｘ１を中心とする機械振れ角（半角：γh_max）、最大偏向角（半角：βh_max）がそれぞれ、ワイド用光偏光器２０１wideの場合と同様、±９．８度、±１９．７度となる。しかし、ミドル用光偏光器２０１Mid（のミラー部２０２の中心）と波長変換部材１８との間の距離（１３．４ｍｍ）がワイド用光偏光器２０１Wide（のミラー部２０２の中心）と波長変換部材１８との間の距離（２４．０ｍｍ）より短いため、ミドル用走査領域ＡMidのサイズ（水平方向の長さ）が、±４．７８ｍｍに調整される。
【０１１９】
また、図１７（ｂ）中の「ＭＩＤ」の行に示すように、ミドル用光偏光器２０１Mid（のミラー部２０２の中心）と波長変換部材１８との間の距離を１３．４ｍｍとし、当該ミドル用光偏光器２０１Midの第２圧電アクチュエータ２０５、２０６に駆動電圧としてワイド用光偏光器２０１Wideの場合と同様、４１．２Ｖppを印加すると、第１軸Ｘ１を中心とする機械振れ角（半角：γv_max）、最大偏向角（半角：βv_max）がそれぞれ、ワイド用光偏光器２０１Wideの場合と同様、±４．３度、±８．６度となる。しかし、ミドル用光偏光器２０１Mid（のミラー部２０２の中心）と波長変換部材１８との間の距離（１３．４ｍｍ）がワイド用光偏光器２０１Wide（のミラー部２０２の中心）と波長変換部材１８との間の距離（２４．０ｍｍ）より短いため、ミドル用走査領域ＡMidのサイズ（垂直方向の長さ）が、±１．９６ｍｍに調整される。
【０１２０】
以上のように、ミドル用光偏光器２０１Mid（のミラー部２０２の中心）と波長変換部材１８との間の距離を１３．４ｍｍとすることで、ミドル用走査領域ＡMidのサイズ（水平方向の長さ及び垂直方向の長さ）を、水平方向が±４．７８ｍｍ、垂直方向が±１．９６ｍｍの矩形に調整することができる。
【０１２１】
このミドル用走査領域ＡMidに形成される光度分布は投影レンズ２０によって前方に投影されることで、仮想鉛直スクリーン上に水平方向±８．５度、垂直方向±３．６度の矩形のミッド用の部分配光パターンＰHi_Midを形成する。
【０１２２】
一方、図１７（ａ）中の「ＨＯＴ」の行に示すように、ホット用光偏光器２０１Hot（のミラー部２０２の中心）と波長変換部材１８との間の距離を５．５ｍｍとし、当該ホット用光偏光器２０１Hotの第１圧電アクチュエータ２０３、２０４に駆動電圧としてワイド用光偏光器２０１Wideの場合と同様、５．４１Ｖppを印加すると、第１軸Ｘ１を中心とする機械振れ角（半角：γh_max）、最大偏向角（半角：βh_max）がそれぞれ、ワイド用光偏光器２０１Wideの場合と同様、±９．８度、±１９．７度となる。しかし、ホット用光偏光器２０１Hot（のミラー部２０２の中心）と波長変換部材１８との間の距離（５．５ｍｍ）がミドル用光偏光器２０１Mid（のミラー部２０２の中心）と波長変換部材１８との間の距離（１３．４ｍｍ）より短いため、ホット用走査領域ＡHotのサイズ（水平方向の長さ）が、±１．９６ｍｍに調整される。
【０１２３】
また、図１７（ｂ）中の「ＨＯＴ」の行に示すように、ホット用光偏光器２０１Hot（のミラー部２０２の中心）と波長変換部材１８との間の距離を５．５ｍｍとし、当該ホット用光偏光器２０１Hotの第２圧電アクチュエータ２０５、２０６に駆動電圧としてワイド用光偏光器２０１Wideの場合と同様、４１．２Ｖppを印加すると、第１軸Ｘ１を中心とする機械振れ角（半角：γv_max）、最大偏向角（半角：βv_max）がそれぞれ、ワイド用光偏光器２０１Wideの場合と同様、±４．３度、±８．６度となる。しかし、ホット用光偏光器２０１Hot（のミラー部２０２の中心）と波長変換部材１８との間の距離（５．５ｍｍ）がミドル用光偏光器２０１Mid（のミラー部２０２の中心）と波長変換部材１８との間の距離（１３．４ｍｍ）より短いため、ホット用走査領域ＡHotのサイズ（垂直方向の長さ）が、±０．８４ｍｍに調整される。
【０１２４】
以上のように、ホット用光偏光器２０１Hot（のミラー部２０２の中心）と波長変換部材１８との間の距離を５．５ｍｍとすることで、ホット用走査領域ＡHotのサイズ（水平方向の長さ及び垂直方向の長さ）を、水平方向が±１．９６ｍｍ、垂直方向が±０．８４ｍｍの矩形に調整することができる。
【０１２５】
このホット用走査領域ＡHotに形成される光度分布は投影レンズ２０によって前方に投影されることで、仮想鉛直スクリーン上に水平方向±３．５度、垂直方向±１．５度の矩形のホット用の部分配光パターンＰHi_Hotを形成する。
【０１２６】
以上のように、各々の光偏光器２０１Wide、２０１Mid、２０１Hotに印加される駆動電圧を同一（又は略同一）とした場合、各々の光偏光器２０１Wide、２０１Mid、２０１Hot（のミラー部２０２の中心）と波長変換部材１８との間の距離を変えることで、走査領域ＡWide、ＡMid、ＡHotのサイズ（水平方向の長さ及び垂直方向の長さ）を調整することができる。
【０１２７】
なお、各々の光偏光器２０１Wide、２０１Mid、２０１Hotの第１圧電アクチュエータ２０３、２０４に印加される第１交流電圧、第２交流電圧をフィードバック制御する場合、各々の光偏光器２０１Wide、２０１Mid、２０１Hotに印加される駆動電圧を完全に同一とはならないが、この場合であっても、各々の光偏光器２０１Wide、２０１Mid、２０１Hot（のミラー部２０２の中心）と波長変換部材１８との間の距離を変えることで、各々の走査領域ＡWide、ＡMid、ＡHotのサイズ（水平方向の長さ及び垂直方向の長さ）を調整することができる。
【０１２８】
次に、走査領域ＡWide、ＡMid、ＡHotのサイズ（水平方向の長さ及び垂直方向の長さ）を調整する別の手法について説明する。
【０１２９】
走査領域ＡWide、ＡMid、ＡHotのサイズ（水平方向の長さ及び垂直方向の長さ）は、図１８に示すように、各々の光ファイバ３６Wide、３６Mid、３６Hot（出射端部）と各々の２０１Wide、２０１Mid、２０１Hotとの間（又は、各々の光偏光器２０１Wide、２０１Mid、２０１Hotと波長変換部材１８との間）にレンズ６６（例えば、焦点距離が異なるレンズ）を配置することによって調整することも考えられる。
【０１３０】
図１９（ａ）は結合分配器７０の縦断面図（概略図）、図１９（ｂ）は図１９（ａ）に示す結合分配器７０のＡ１−Ａ１断面図である。
【０１３１】
図１９（ａ）、図１９（ｂ）に示すように、本実施形態の結合分配器７０は、光ファイバ３６Wide、３６Mid、３６Hot（入射端部）が取り付けられる光ファイバ取付部７２Wide、７２Mid、７２Hot、第１〜第３レーザー光源７４LL1、７４LL2、７４LL3、第１〜第３コリメートレンズ７６LL1、７６LL2、７６LL3、第１〜第３集光レンズ７８Wide、７８Mid、７８Hot、複数の回折光学素子８０DO1、８０DO2、８０DO3、アクチュエータ（図示せず）等を備えている。
【０１３２】
第１〜第３レーザー光源７４LL1、７４LL2、７４LL3は、本発明の「Ｎ本の光ファイバに対応して設けられたＮ個のレーザー光源」に相当する。複数の回折光学素子８０DO1、８０DO2、８０DO3は、本発明の「Ｎ個のレーザー光源それぞれに対応して設けられた複数の回折光学素子」に相当する。図１９（ａ）は、Ｎが３の例である。もちろん、これに限らず、Ｎ２は３以上の自然数であればよい。
【０１３３】
光ファイバ取付部７２Wide、７２Mid、７２Hotは、筐体８２の前面に固定されている。第１〜第２集光レンズ７８Wide、７８Mid、７８Hotは、光ファイバ取付部７２Wide、７２Mid、７２Hotの後方近傍に配置されている。
【０１３４】
第１〜第３レーザー光源７４LL1、７４LL2、７４LL3及び第１〜第３コリメートレンズ７６LL1、７６LL2、７６LL3は、筐体８２の後面に取り付けられた、放熱板８４ａ（放熱フィン）を含む筐体放熱部８４に固定されている。具体的には、第１レーザー光源７４LL1及び第１コリメートレンズ７６LL1は、筐体放熱部８４に形成された第１基準軸ＡＸ１方向に延びる第１貫通穴Ｈ１内部に挿入された状態で当該筐体放熱部８４に固定されている。同様に、第２レーザー光源７４LL2及び第２コリメートレンズ７６LL2は、筐体放熱部８４に形成された第２基準軸ＡＸ２方向に延びる第２貫通穴Ｈ２内部に挿入された状態で当該筐体放熱部８４に固定されている。同様に、第３レーザー光源７４LL3及び第３コリメートレンズ７６LL3は、筐体放熱部８４に形成された第３基準軸ＡＸ３方向に延びる第３貫通穴Ｈ３内部に挿入された状態で当該筐体放熱部８４に固定されている。
【０１３５】
第１〜第３レーザー光源７４LL1、７４LL2、７４LL3は、それぞれ、キャップ内に収容された半導体レーザーＬＤLL1、ＬＤLL2、ＬＤLL3やモニタ用のフォトダイオード等のＬＤ出力モニタＰＤLL1、ＰＤLL2、ＰＤLL3を備えている。
【０１３６】
図２０は、半導体レーザーＬＤ（ＬＤLL1、ＬＤLL2、ＬＤLL3）の概略斜視図である。
【０１３７】
図２０に示すように、半導体レーザーＬＤは、電界成分が接合面Ａ（活性領域）に対して平行なＴＥモードのレーザー光（直線偏光）を放出する半導体発光素子（レーザーダイオード）である。半導体レーザーは、電界成分が接合面Ａ（活性領域）に対して垂直なＴＭモードのレーザー光も放出するが、利得の大きなＴＥモードのレーザー光が支配的となっている。半導体レーザーＬＤの発光波長は青色域（例えば４５０ｎｍ）である。なお、近紫外域（例えば４０５ｎｍ）であってもよい。
【０１３８】
レーザー光源７４LL1、７４LL2、７４LL3は、図１９（ａ）に示すように、縦一列ではなく、基準軸ＡＸ１〜ＡＸ３方向に分散した形態で配置されている。このように分散した形態で配置することで、例えば、縦一列に密集した形態で配置する場合と比べ、放熱性を高めることができる。
【０１３９】
第１回折光学素子８０DO1は、複数の回折光学素子８０DO1-1〜８０DO1-3を含んでいる。
【０１４０】
各々の回折光学素子８０DO1-1〜８０DO1-3は、図２１（ａ）に示すように、第１コリメートレンズ７６LL1でコリメートされた第１レーザー光源７４LL1からのレーザー光ＲａｙLL1の光路（又は基準軸ＡＸ１）に沿って配置されていてもよいし、図２１（ｂ）に示すように、回転板８６に固定された状態で配置されていてもよい。もちろん、これ以外の形態で配置されていてもよい。なお、図２１（ｂ）中の符号Ｓが示す箇所は、円形の開口である。なお、符号Ｓが示す円形の開口は省略してもよい。
【０１４１】
各々の回折光学素子８０DO1-1〜８０DO1-3は、ソレノイド等のアクチュエータ（図示せず）により、第１コリメートレンズ７６LL1でコリメートされた第１レーザー光源７４LL1からのレーザー光ＲａｙLL1の光路中又は光路外に配置される。
【０１４２】
各々の回折光学素子８０DO1-1〜８０DO1-3は、これが回転板８６に固定されている場合、当該回転板８６がソレノイド等のアクチュエータ（図示せず）により回転・停止されることで、第１コリメートレンズ７６LL1でコリメートされた第１レーザー光源７４LL1からのレーザー光ＲａｙLL1の光路中又は光路外に配置される。
【０１４３】
各々の回折光学素子８０DO1-1〜８０DO1-3は、第１コリメートレンズ７６LL1でコリメートされた第１レーザー光源７４LL1からのレーザー光ＲａｙLL1の光路中に配置された場合、図２２に示すように、当該第１コリメートレンズ７６LL1でコリメートされた第１レーザー光源７４LL1からのレーザー光ＲａｙLL1を、回折により相互に異なる割合（分光比）で各々の光ファイバ３６Wide、３６Mid、３６Hotの入射端面（厳密には、第１〜第３集光レンズ７８Wide、７８Mid、７８Hot）に向けて偏向させる。これを実現するため、各々の回折光学素子８０DO1-1〜８０DO1-3は、ホログラム光学素子（ＨＯＥ：holographic optical elements）として構成されている。もちろん、これに限らず、各々の回折光学素子８０DO1-1〜８０DO1-3は、ブレーズ型回折光学素子（ＤＯＥ:Diffractive Optical Elements）として構成されていてもよい。
【０１４４】
具体的には、次のように構成されている。
【０１４５】
回折光学素子８０DO1-1は、第１コリメートレンズ７６LL1でコリメートされた第１レーザー光源７４LL1からのレーザー光ＲａｙLL1を、回折により１／３：１／３：１／３の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。
【０１４６】
具体的には、回折光学素子８０DO1-1は、第１コリメートレンズ７６LL1でコリメートされた第１レーザー光源７４LL1からのレーザー光ＲａｙLL1を参照光とした場合、再生光が１／３：１／３：１／３の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２４に示す輝光Ｂ1/3、Ｂ1/3、Ｂ1/3を再生するホログラム光学素子として構成されている。
【０１４７】
回折光学素子８０DO1-2は、第１コリメートレンズ７６LL1でコリメートされた第１レーザー光源７４LL1からのレーザー光ＲａｙLL1を、回折により１／２：１／４：１／４の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。すなわち、回折光学素子８０DO1-2は、分光比が相違する以外、回折光学素子８０DO1-1と同様に構成されている。
【０１４８】
具体的には、回折光学素子８０DO1-2は、第１コリメートレンズ７６LL1でコリメートされた第１レーザー光源７４LL1からのレーザー光ＲａｙLL1を参照光とした場合、再生光が１／２：１／４：１／４の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２４に示すのと同様の輝光Ｂ1/2、Ｂ1/4、Ｂ1/4を再生するホログラム光学素子として構成されている。
【０１４９】
回折光学素子８０DO1-3は、第１コリメートレンズ７６LL1でコリメートされた第１レーザー光源７４LL1からのレーザー光ＲａｙLL1を、回折により１／４：１／４：１／２の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。すなわち、回折光学素子８０DO1-3は、分光比が相違する以外、回折光学素子８０DO1-1と同様に構成されている。
【０１５０】
具体的には、回折光学素子８０DO1-3は、第１コリメートレンズ７６LL1でコリメートされた第１レーザー光源７４LL1からのレーザー光ＲａｙLL1を参照光とした場合、再生光が１／４：１／４：１／２の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２４に示すのと同様の輝光Ｂ1/4、Ｂ1/4、Ｂ1/2を再生するホログラム光学素子として構成されている。
【０１５１】
一方、第２回折光学素子８０DO2は、複数の回折光学素子８０DO2-1〜８０DO2-3を含んでいる。
【０１５２】
各々の回折光学素子８０DO2-1〜８０DO2-3は、図２１（ａ）と同様に、第２コリメートレンズ７６LL2でコリメートされた第２レーザー光源７４LL2からのレーザー光ＲａｙLL2の光路（又は基準軸ＡＸ２）に沿って配置されていてもよいし、図２１（ｂ）と同様に、回転板８６に固定された状態で配置されていてもよい。もちろん、これ以外の形態で配置されていてもよい。
【０１５３】
各々の回折光学素子８０DO2-1〜８０DO2-3は、ソレノイド等のアクチュエータ（図示せず）により、第２コリメートレンズ７６LL2でコリメートされた第２レーザー光源７４LL2からのレーザー光ＲａｙLL2の光路中又は光路外に配置される。
【０１５４】
各々の回折光学素子８０DO2-1〜８０DO2-3は、これが回転板８６に固定されている場合、当該回転板８６がソレノイド等のアクチュエータ（図示せず）により回転・停止されることで、第２コリメートレンズ７６LL2でコリメートされた第２レーザー光源７４LL2からのレーザー光ＲａｙLL2の光路中又は光路外に配置される。
【０１５５】
各々の回折光学素子８０DO2-1〜８０DO2-3は、第２コリメートレンズ７６LL2でコリメートされた第２レーザー光源７４LL2からのレーザー光ＲａｙLL2の光路中に配置された場合、図２５に示すように、当該第２コリメートレンズ７６LL2でコリメートされた第２レーザー光源７４LL2からのレーザー光ＲａｙLL2を、回折により相互に異なる割合（分光比）で各々の光ファイバ３６Wide、３６Mid、３６Hotの入射端面（厳密には、第１〜第３集光レンズ７８Wide、７８Mid、７８Hot）に向けて偏向させる。これを実現するため、各々の回折光学素子８０DO2-1〜８０DO2-3は、ホログラム光学素子（ＨＯＥ）として構成されている。もちろん、これに限らず、回折光学素子８０DO2-1〜８０DO2-3は、ブレーズ型回折光学素子（ＤＯＥ）として構成されていてもよい。
【０１５６】
具体的には、次のように構成されている。
【０１５７】
回折光学素子８０DO2-1は、第２コリメートレンズ７６LL2でコリメートされた第２レーザー光源７４LL2からのレーザー光ＲａｙLL2を、回折により１／３：１／３：１／３の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。
【０１５８】
具体的には、回折光学素子８０DO2-1は、第２コリメートレンズ７６LL2でコリメートされた第２レーザー光源７４LL2からのレーザー光ＲａｙLL2を参照光とした場合、再生光が１／３：１／３：１／３の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２６に示す輝光Ｂ1/3、Ｂ1/3、Ｂ1/3を再生するホログラム光学素子として構成されている。
【０１５９】
回折光学素子８０DO2-2は、第２コリメートレンズ７６LL2でコリメートされた第２レーザー光源７４LL2からのレーザー光ＲａｙLL2を、回折により１／２：１／４：１／４の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。すなわち、回折光学素子８０DO2-2は、分光比が相違する以外、回折光学素子８０DO2-1と同様に構成されている。
【０１６０】
具体的には、回折光学素子８０DO2-2は、第２コリメートレンズ７６LL2でコリメートされた第２レーザー光源７４LL2からのレーザー光ＲａｙLL2を参照光とした場合、再生光が１／２：１／４：１／４の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２６に示すのと同様の輝光Ｂ1/2、Ｂ1/4、Ｂ1/4を再生するホログラム光学素子として構成されている。
【０１６１】
回折光学素子８０DO2-3は、第２コリメートレンズ７６LL2でコリメートされた第２レーザー光源７４LL2からのレーザー光ＲａｙLL2を、回折により１／４：１／４：１／２の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。すなわち、回折光学素子８０DO2-3は、分光比が相違する以外、回折光学素子８０DO1-1と同様に構成されている。
【０１６２】
具体的には、回折光学素子８０DO2-3は、第２コリメートレンズ７６LL2でコリメートされた第２レーザー光源７４LL2からのレーザー光ＲａｙLL2を参照光とした場合、再生光が１／４：１／４：１／２の割合で各々の第１〜第３集光レンズ７８Wide、７８Mid、７８Hotの光取り込み角θ（レンズ入射有効角）の範囲内に向かい（図２３参照）、各々の光取り込み角θの範囲内に図２６に示すのと同様の輝光Ｂ1/4、Ｂ1/4、Ｂ1/2を再生するホログラム光学素子として構成されている。
【０１６３】
一方、第３回折光学素子８０DO3は、複数の回折光学素子８０DO3-1〜８０DO3-3を含んでいる。
【０１６４】
各々の回折光学素子８０DO3-1〜８０DO3-3は、図２１（ａ）と同様に、第３コリメートレンズ７６LL3でコリメートされた第３レーザー光源７４LL3からのレーザー光ＲａｙLL3の光路（又は基準軸ＡＸ３）に沿って配置されていてもよいし、図２１（ｂ）と同様に、回転板８６に固定された状態で配置されていてもよい。もちろん、これ以外の形態で配置されていてもよい。
【０１６５】
各々の回折光学素子８０DO3-1〜８０DO3-3は、ソレノイド等のアクチュエータ（図示せず）により、第３コリメートレンズ７６LL3でコリメートされた第３レーザー光源７４LL3からのレーザー光ＲａｙLL3の光路中又は光路外に配置される。
【０１６６】
各々の回折光学素子８０DO3-1〜８０DO3-3は、これが回転板８６に固定されている場合、当該回転板８６がソレノイド等のアクチュエータ（図示せず）により回転・停止されることで、第３コリメートレンズ７６LL3でコリメートされた第３レーザー光源７４LL3からのレーザー光ＲａｙLL3の光路中又は光路外に配置される。
【０１６７】
各々の回折光学素子８０DO3-1〜８０DO3-3は、第３コリメートレンズ７６LL3でコリメートされた第３レーザー光源７４LL3からのレーザー光ＲａｙLL3の光路中に配置された場合、図２７に示すように、当該第３コリメートレンズ７６LL3でコリメートされた第３レーザー光源７４LL3からのレーザー光ＲａｙLL3を、回折により相互に異なる割合（分光比）で各々の光ファイバ３６Wide、３６Mid、３６Hotの入射端面（厳密には、第１〜第３集光レンズ７８Wide、７８Mid、７８Hot）に向けて偏向させる。これを実現するため、各々の回折光学素子８０DO3-1〜８０DO3-3は、ホログラム光学素子（ＨＯＥ）として構成されている。もちろん、これに限らず、回折光学素子８０DO3-1〜８０DO3-3は、ブレーズ型回折光学素子（ＤＯＥ）として構成されていてもよい。
【０１６８】
具体的には、次のように構成されている。
【０１６９】
回折光学素子８０DO3-1は、第３コリメートレンズ７６LL3でコリメートされた第３レーザー光源７４LL3からのレーザー光ＲａｙLL3を、回折により１／３：１／３：１／３の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。
【０１７０】
具体的には、回折光学素子８０DO3-1は、第３コリメートレンズ７６LL3でコリメートされた第３レーザー光源７４LL3からのレーザー光ＲａｙLL3を参照光とした場合、再生光が１／３：１／３：１／３の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２８に示す輝光Ｂ1/3、Ｂ1/3、Ｂ1/3を再生するホログラム光学素子として構成されている。
【０１７１】
回折光学素子８０DO3-2は、第３コリメートレンズ７６LL3でコリメートされた第３レーザー光源７４LL3からのレーザー光ＲａｙLL3を、回折により１／２：１／４：１／４の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。すなわち、回折光学素子８０DO3-2は、分光比が相違する以外、回折光学素子８０DO3-1と同様に構成されている。
【０１７２】
具体的には、回折光学素子８０DO3-2は、第３コリメートレンズ７６LL3でコリメートされた第３レーザー光源７４LL3からのレーザー光ＲａｙLL3を参照光とした場合、再生光が１／２：１／４：１／４の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２８に示すのと同様の輝光Ｂ1/2、Ｂ1/4、Ｂ1/4を再生するホログラム光学素子として構成されている。
【０１７３】
回折光学素子８０DO3-3は、第３コリメートレンズ７６LL3でコリメートされた第３レーザー光源７４LL3からのレーザー光ＲａｙLL3を、回折により１／４：１／４：１／２の割合（分光比）で各々の光ファイバ３６Wide、３６Mid、３６Hotの入射端面（厳密には、第１〜第３集光レンズ７８Wide、７８Mid、７８Hot）に向けて偏向させるホログラム光学素子として構成されている。すなわち、回折光学素子８０DO3-3は、分光比が相違する以外、回折光学素子８０DO3-1と同様に構成されている。
【０１７４】
具体的には、回折光学素子８０DO3-3は、第３コリメートレンズ７６LL3でコリメートされた第３レーザー光源７４LL3からのレーザー光ＲａｙLL3を参照光とした場合、再生光が１／４：１／４：１／２の割合（分光比）で各々の第１〜第３集光レンズ７８Wide、７８Mid、７８Hotの光取り込み角θ（レンズ入射有効角）の範囲内に向かい（図２３参照）、各々の光取り込み角θの範囲内に図２８に示すのと同様の輝光Ｂ1/4、Ｂ1/4、Ｂ1/2を再生するホログラム光学素子として構成されている。
【０１７５】
各々の回折光学素子８０DO1-1〜８０DO1-3、８０DO2-1〜８０DO2-3、８０DO3-1〜８０DO3-3は、ＣＧＨ（Computer  Generated  Hologram：計算機合成ホログラム）によるホログラム光学素子として、構成することができる。
【０１７６】
ホログラム光学素子による再生の基本概念を説明する。図２９（ａ）は、ホログラム光学素子による再生の基本概念を説明するための図である。
【０１７７】
ホログラム光学素子８０は、コヒーレント性のレーザー光を参照光と再生予定光に分割してホログラム基材に照射し、その干渉状態（ホログラムパターン）を基材上に記録して作成する。このようにして作成したホログラム光学素子８０に、図２９に示すように、参照光Ｒａｙ１だけを照射すると、参照光Ｒａｙ１はホログラムパターンによって干渉光として、再生予定光を生成する（再生光）。参照光Ｒａｙ１はホログラム光学素子８０の干渉パターンと作用して再生光Ｒａｙ２となり出光点Ｐへ集光する。
【０１７８】
ホログラム光学素子８０は、ＣＧＨによって製作することができる。ＣＧＨは、従来のホログラムのように、物体からの波面と参照波面とが作る干渉縞で物体の複素振幅分布を記録することはせず、この過程を全て計算の手段におきかえた方法である。再生すべき物体又は波面のデータをもとに、ホログラム面上に到達する波面を計算し、適当な表示装置にホログラム原図を表示し、それを写真的に縮小したものをホログラムとする。したがって、原理的には数学的に記述できる物体であればいかなる波面でも、従来のホログラムでは再生できない波面でも再生が可能である。
【０１７９】
また、各々の回折光学素子８０DO1-1〜８０DO1-3、８０DO2-1〜８０DO2-3、８０DO3-1〜８０DO3-3は、図２９（ｂ）に示すように、ブレーズ角θ１、θ２、θ３及びブレーズ間隔ｄ１、ｄ２、ｄ３が設定されたブレーズ型回折光学素子として構成することもできる。ブレーズ間隔及び／又はブレーズ面比を調整することで、各々のコリメートレンズ７６LL1、７６LL2、７６LL3でコリメートされた各々のレーザー光源７４LL1、７４LL2、７４LL3からのレーザー光ＲａｙLL1、ＲａｙLL2、ＲａｙLL3を所定の割合（分光比）で異なる方向に偏向（分光）させることができる。
【０１８０】
次に、上記構成の結合分配器７０の機能的構成について図面を参照しながら説明する。
【０１８１】
図３０は、結合分配器７０の機能的構成を表す機能ブロック図である。
【０１８２】
図３０に示すように、結合分配器７０は、その全体の動作を司るＣＰＵ８８を備えている。ＣＰＵ８８には、バスを介して、ヘッドランプスイッチ９０、第１〜第３回折光学素子８０DO1〜８０DO3に対応して設けられたソレノイド等の第１〜第３アクチュエータ９２DO1、９２DO2、９２DO3、第１〜第３レーザー光源７４LL1、７４LL2、７４LL3（半導体レーザーＬＤLL1、ＬＤLL2、ＬＤLL3）に対応して設けられ、各々のレーザー光源７４LL1、７４LL2、７４LL3（半導体レーザーＬＤLL1、ＬＤLL2、ＬＤLL3）に対して電流を供給する第１〜第３ＬＤ点灯回路９４LL1、９４LL2、９４LL3、ナビゲーション装置９６、車速センサ９８ａ、ワイパーセンサ９８ｂ、雰囲気明るさセンサ９８ｃ、第１〜第３ＭＥＭＳ電源回路６８Wide、６８Mid、６８Hot、ＣＰＵ８８が実行する各種プログラムが格納されたプログラム格納部（図示せず）、作業領域等として用いられるＲＡＭ（図示せず）等が接続されている。第１〜第３アクチュエータ９２DO1、９２DO2、９２DO3は、本発明の「レーザー光源ごとに、当該レーザー光源に対応する前記複数の回折光学素子のいずれかを当該レーザー光源からのレーザー光の光路中に配置するアクチュエータ」に相当する。ナビゲーション装置９６、車速センサ９８ａ、ワイパーセンサ９８ｂ、雰囲気明るさセンサ９８ｃは、本発明の「車両に取り付けられたセンサ」に相当する。
【０１８３】
次に、上記構成の結合分配器７０の動作について、図面を参照しながら説明する。
【０１８４】
図３１は、結合分配器７０の基本動作を示すフローチャートである。
【０１８５】
以下の処理は、ＣＰＵ８８がプログラム格納部からＲＡＭ等に読み込まれた所定プログラムを実行することにより実現される。本処理は、本発明の光度変更手段に相当する。
【０１８６】
まず、ヘッドランプスイッチ９０がオンされる（ステップＳ１０）と、配光設定情報が読み込まれる（ステップＳ１２）。
【０１８７】
配光設定情報は、配光設定が自動(AUTO)であることを示す情報又は手動(MANUAL)であることを示す情報で、運転者等が車室内に設けられた自動・手動切り替えスイッチ等を操作することで、ＣＰＵ８８に接続された記憶装置（図示せず）等に格納される。
【０１８８】
次に、各々のＬＤ点灯回路９４LL1、９４LL2、９４LL3がＣＰＵ８８からの指示に従い、第１〜第３レーザー光源７４LL1、７４LL2、７４LL3（半導体レーザーＬＤLL1、ＬＤLL2、ＬＤLL3）それぞれが予め定められたレーザー光出力（例えば、フル出力）となるように制御する（ステップＳ１４）。
【０１８９】
次に、配光設定情報として、手動(MANUAL)であることを示す情報が格納されていると判定された場合（ステップＳ１６：MANUAL）、手動で選択された配光に応じて「ｈｏｔ重視配光処理」（ステップＳ１８）、「ｈｏｔ明るめ配光処理」（ステップＳ２０）、「基準配光処理」（ステップＳ２２）、「ｗｉｄｅ明るめ配光処理」（ステップＳ２４）、「ｗｉｄｅ重視配光処理」（ステップＳ２６）が実行される。「ｈｏｔ重視配光」、「ｈｏｔ明るめ配光」、「基準配光」、「ｗｉｄｅ明るめ配光」、「ｗｉｄｅ重視配光」は、本発明の「予め定められた複数の配光」に相当する。
【０１９０】
手動で選択された配光が何であるかは、例えば、配光識別フラグに基づき判定することができる。
【０１９１】
例えば、運転者等が車室内に設けられた配光選択スイッチ等を手動操作し、「ｈｏｔホット重視配光」を選択することで、配光識別フラグに、手動で選択された配光が「ｈｏｔ重視配光」であることを示す情報（例えば「Ｌ１」）が設定されたとする。
【０１９２】
この場合、当該配光識別フラグに基づき、手動で選択された配光が「ｈｏｔ重視配光」であると判定され（ステップＳ１６：Ｌ１）、「ｈｏｔ重視配光処理」（ステップＳ１８）が実行される。
【０１９３】
この「ｈｏｔ重視配光処理」（ステップＳ１８）では、各々のアクチュエータ９２DO1、９２DO2、９２DO3が、ホット用の光ファイバ３６Hot（出射端面）から出射するレーザー光の出力が相対的に高くなるように、各々のレーザー光源７４LL1、７４LL2、７４LL3（半導体レーザーＬＤLL1、ＬＤLL2、ＬＤLL3）からのレーザー光の光路中に配置される回折光学素子を切り替える。
【０１９４】
具体的には、各々のアクチュエータ９２DO1、９２DO2、９２DO3は、ＣＰＵ８８からの指示に従い、回折光学素子８０DO1-3、８０DO2-3、８０DO3-3を、それぞれ、第１レーザー光源７４LL1からのレーザー光ＲａｙLL1の光路中、第２レーザー光源７４LL2からのレーザー光ＲａｙLL2の光路中、第３レーザー光源７４LL3からのレーザー光ＲａｙLL3の光路中に配置する（図３２（ａ）中の「Ｌ１：ｈｏｔ重視」の行参照）。
【０１９５】
これにより、各々のレーザー光源７４LL1〜７４LL3からのレーザー光ＲａｙLL1〜ＲａｙLL3が、図３２（ｂ）中の「Ｌ１  ｈｏｔ重視」の行に示す各々の分光比で分光される。
【０１９６】
例えば、第１レーザー光源７４LL1からのレーザー光ＲａｙLL1が回折光学素子８０DO1-3での回折により１／４：１／４：１／２の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０１９７】
同様に、第２レーザー光源７４LL2からのレーザー光ＲａｙLL2が回折光学素子８０DO2-3での回折により１／４：１／４：１／２の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０１９８】
同様に、第３レーザー光源７４LL3からのレーザー光ＲａｙLL3が回折光学素子８０DO3-3での回折により１／４：１／４：１／２の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０１９９】
そして、以上のように各々の光ファイバ３６Wide、３６Mid、３６Hotの入射端面に入射したレーザー光は、各々の光ファイバ３６Wide、３６Mid、３６Hotにより灯具ユニット４０まで伝搬されて、各々の光ファイバ３６Wide、３６Mid、３６Hot（出射端面）から出射し、図２（ａ）に示す走行ビーム用配光パターンＰHiの形成に用いられる。
【０２００】
すなわち、各々の光ファイバ３６Wide、３６Mid、３６Hot（出射端面）から出射したレーザー光は、各々の偏光器２０１Wide、２０１Mid、２０１Hotによって水平方向及び垂直方向に二次元的に走査されて、各々の走査領域ＡWide、ＡMid、ＡHotに第１〜第３光度分布を形成する。そして、この波長変換部材１８（各々の走査領域ＡWide、ＡMid、ＡHot）に形成された第１〜第３光度分布が投影レンズ２０によって前方に投影されることで、仮想鉛直スクリーン上に、各部分配光パターンＰHi_Hot、ＰHi_Mid、ＰHi_Wideが重畳された走行ビーム用配光パターンＰHiが形成される。
【０２０１】
その際、ワイド用の光ファイバ３６Wide（出射端面）、ミドル用の光ファイバ３６Mid（出射端面）、ホット用の光ファイバ３６Hot（出射端面）それぞれからの出力比は、３／４：３／４：３／２の関係となる（図３２（ｂ）参照）。すなわち、ホット用の光ファイバ３６Hot（出射端面）から出射するレーザー光の出力が相対的に高くなる（フル出力の３／２）。その結果、ホット用の部分配光パターンＰHi_Hotの光度が変更され、走行ビーム用配光パターンＰHiは、当該ホット用の部分配光パターンＰHi_Hotが明るいホット重視のものとなる。すなわち、走行ビーム用配光パターンＰHiを、車両周囲の状況に応じた（すなわち、走行環境に適した）ものとすることができる。
【０２０２】
また例えば、運転者等が車室内に設けられた配光選択スイッチ等を手動操作し、「ｈｏｔ明るめ配光」を選択することで、配光識別フラグに、手動で選択された配光が「ｈｏｔ明るめ配光」であることを示す情報（例えば「Ｌ２」）が設定されたとする。
【０２０３】
この場合、当該配光識別フラグに基づき、手動で選択された配光が「ｈｏｔ明るめ配光」であると判定され（ステップＳ１６：Ｌ２）、「ｈｏｔ明るめ配光処理」（ステップＳ２０）が実行される。
【０２０４】
この「ｈｏｔ明るめ配光処理」（ステップＳ２０）では、各々のアクチュエータ９２DO1、９２DO2、９２DO3が、ホット用の光ファイバ３６Hot（出射端面）から出射するレーザー光の出力が相対的に高くなるように、各々のレーザー光源７４LL1、７４LL2、７４LL3（半導体レーザーＬＤLL1、ＬＤLL2、ＬＤLL3）からのレーザー光の光路中に配置される回折光学素子を切り替える。
【０２０５】
具体的には、各々のアクチュエータ９２DO1、９２DO2、９２DO3は、ＣＰＵ８８からの指示に従い、回折光学素子８０DO1-3、８０DO2-1、８０DO3-1を、それぞれ、第１レーザー光源７４LL1からのレーザー光ＲａｙLL1の光路中、第２レーザー光源７４LL2からのレーザー光ＲａｙLL2の光路中、第３レーザー光源７４LL3からのレーザー光ＲａｙLL3の光路中に配置する（図３２（ａ）中の「Ｌ２：ｈｏｔ明るめ」の行参照）。
【０２０６】
これにより、各々のレーザー光源７４LL1〜７４LL3からのレーザー光ＲａｙLL1〜ＲａｙLL3が、図３２（ｂ）中の「Ｌ２  ｈｏｔ明るめ」の行に示す各々の分光比で分光される。
【０２０７】
例えば、第１レーザー光源７４LL1からのレーザー光ＲａｙLL1が回折光学素子８０DO1-3での回折により１／４：１／４：１／２の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２０８】
同様に、第２レーザー光源７４LL2からのレーザー光ＲａｙLL2が回折光学素子８０DO2-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２０９】
同様に、第３レーザー光源７４LL3からのレーザー光ＲａｙLL3が回折光学素子８０DO3-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２１０】
そして、以上のように各々の光ファイバ３６Wide、３６Mid、３６Hotの入射端面に入射したレーザー光は、各々の光ファイバ３６Wide、３６Mid、３６Hotにより灯具ユニット４０まで伝搬されて、各々の光ファイバ３６Wide、３６Mid、３６Hot（出射端面）から出射し、図２（ａ）に示す走行ビーム用配光パターンＰHiの形成に用いられる。
【０２１１】
その際、ワイド用の光ファイバ３６Wide（出射端面）、ミドル用の光ファイバ３６Mid（出射端面）、ホット用の光ファイバ３６Hot（出射端面）それぞれからの出力比は、１１／１２：１１／１２：７／６の関係となる（図３２（ｂ）参照）。すなわち、ホット用の光ファイバ３６Hot（出射端面）から出射するレーザー光の出力が相対的に高くなる（フル出力の７／６）。その結果、ホット用の部分配光パターンＰHi_Hotの光度が変更され、走行ビーム用配光パターンＰHiは、当該ホット用の部分配光パターンＰHi_Hotがやや明るいホット明るめのものとなる。すなわち、走行ビーム用配光パターンＰHiを、車両周囲の状況に応じた（すなわち、走行環境に適した）ものとすることができる。
【０２１２】
また例えば、運転者等が車室内に設けられた配光選択スイッチ等を手動操作し、「基準配光」を選択することで、配光識別フラグに、手動で選択された配光が「基準配光」であることを示す情報（例えば「Ｌ３」）が設定されたとする。
【０２１３】
この場合、当該配光識別フラグに基づき、手動で選択された配光が「基準配光」であると判定され（ステップＳ１６：Ｌ３）、「基準配光処理」（ステップＳ２２）が実行される。
【０２１４】
この「基準配光処理」（ステップＳ２２）では、各々のアクチュエータ９２DO1、９２DO2、９２DO3が、各々の光ファイバ３６Wide、３６Mid、３６Hot（出射端面）から出射するレーザー光の出力が均等となるように、各々のレーザー光源７４LL1、７４LL2、７４LL3（半導体レーザーＬＤLL1、ＬＤLL2、ＬＤLL3）からのレーザー光の光路中に配置される回折光学素子を切り替える。
【０２１５】
具体的には、各々のアクチュエータ９２DO1、９２DO2、９２DO3は、ＣＰＵ８８からの指示に従い、回折光学素子８０DO1-1、８０DO2-1、８０DO3-1を、それぞれ、第１レーザー光源７４LL1からのレーザー光ＲａｙLL1の光路中、第２レーザー光源７４LL2からのレーザー光ＲａｙLL2の光路中、第３レーザー光源７４LL3からのレーザー光ＲａｙLL3の光路中に配置する（図３２（ａ）中の「Ｌ３：基準」の行参照）。
【０２１６】
これにより、各々のレーザー光源７４LL1〜７４LL3からのレーザー光ＲａｙLL1〜ＲａｙLL3が、図３２（ｂ）中の「Ｌ３  基準」の行に示す各々の分光比で分光される。
【０２１７】
例えば、第１レーザー光源７４LL1からのレーザー光ＲａｙLL1が回折光学素子８０DO1-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２１８】
同様に、第２レーザー光源７４LL2からのレーザー光ＲａｙLL2が回折光学素子８０DO2-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２１９】
同様に、第３レーザー光源７４LL3からのレーザー光ＲａｙLL3が回折光学素子８０DO3-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２２０】
そして、以上のように各々の光ファイバ３６Wide、３６Mid、３６Hotの入射端面に入射したレーザー光は、各々の光ファイバ３６Wide、３６Mid、３６Hotにより灯具ユニット４０まで伝搬されて、各々の光ファイバ３６Wide、３６Mid、３６Hot（出射端面）から出射し、図２（ａ）に示す走行ビーム用配光パターンＰHiの形成に用いられる。
【０２２１】
その際、ワイド用の光ファイバ３６Wide（出射端面）、ミドル用の光ファイバ３６Mid（出射端面）、ホット用の光ファイバ３６Hot（出射端面）それぞれからの出力比は、３／３：３／３：３／３の関係となる（図３２（ｂ）参照）。すなわち、各々の光ファイバ３６Wide、３６Mid、３６Hot（出射端面）から出射するレーザー光の出力が均等となる。その結果、ホット用の部分配光パターンＰHi_Hot等の光度が変更される。すなわち、走行ビーム用配光パターンＰHiを、車両周囲の状況に応じた（すなわち、走行環境に適した）ものとすることができる。
【０２２２】
また例えば、運転者等が車室内に設けられた配光選択スイッチ等を手動操作し、「ｗｉｄｅ明るめ配光」を選択することで、配光識別フラグに、手動で選択された配光が「ｗｉｄｅ明るめ配光」であることを示す情報（例えば「Ｌ４」）が設定されたとする。
【０２２３】
この場合、当該配光識別フラグに基づき、手動で選択された配光が「ｗｉｄｅ明るめ配光」であると判定され（ステップＳ１６：Ｌ４）、「ｗｉｄｅ明るめ配光処理」（ステップＳ２４）が実行される。
【０２２４】
この「ｗｉｄｅ明るめ配光処理」（ステップＳ２４）では、各々のアクチュエータ９２DO1、９２DO2、９２DO3が、ワイド用の光ファイバ３６Wide（出射端面）から出射するレーザー光の出力が相対的に高くなるように、各々のレーザー光源７４LL1、７４LL2、７４LL3（半導体レーザーＬＤLL1、ＬＤLL2、ＬＤLL3）からのレーザー光の光路中に配置される回折光学素子を切り替える。
【０２２５】
具体的には、各々のアクチュエータ９２DO1、９２DO2、９２DO3は、ＣＰＵ８８からの指示に従い、回折光学素子８０DO1-2、８０DO2-1、８０DO3-1を、それぞれ、第１レーザー光源７４LL1からのレーザー光ＲａｙLL1の光路中、第２レーザー光源７４LL2からのレーザー光ＲａｙLL2の光路中、第３レーザー光源７４LL3からのレーザー光ＲａｙLL3の光路中に配置する（図３２（ａ）中の「Ｌ４：ｗｉｄｅ明るめ」の行参照）。
【０２２６】
これにより、各々のレーザー光源７４LL1〜７４LL3からのレーザー光ＲａｙLL1〜ＲａｙLL3が、図３２（ｂ）中の「Ｌ４  ｗｉｄｅ明るめ」の行に示す各々の分光比で分光される。
【０２２７】
例えば、第１レーザー光源７４LL1からのレーザー光ＲａｙLL1が回折光学素子８０DO1-2での回折により１／２：１／４：１／４の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２２８】
同様に、第２レーザー光源７４LL2からのレーザー光ＲａｙLL2が回折光学素子８０DO2-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２２９】
同様に、第３レーザー光源７４LL3からのレーザー光ＲａｙLL3が回折光学素子８０DO3-1での回折により１／３：１／３：１／３の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２３０】
そして、以上のように各々の光ファイバ３６Wide、３６Mid、３６Hotの入射端面に入射したレーザー光は、各々の光ファイバ３６Wide、３６Mid、３６Hotにより灯具ユニット４０まで伝搬されて、各々の光ファイバ３６Wide、３６Mid、３６Hot（出射端面）から出射し、図２（ａ）に示す走行ビーム用配光パターンＰHiの形成に用いられる。
【０２３１】
その際、ワイド用の光ファイバ３６Wide（出射端面）、ミドル用の光ファイバ３６Mid（出射端面）、ホット用の光ファイバ３６Hot（出射端面）それぞれからの出力比は、７／６：１１／１２：１１／１２の関係となる（図３２（ｂ）参照）。すなわち、ワイド用の光ファイバ３６Wideの出射端部（出射端面）から出射するレーザー光の出力が相対的に高くなる（フル出力の７／６）。その結果、ワイド用の部分配光パターンＰHi_Wideの光度が変更され、走行ビーム用配光パターンＰHiは、当該ワイド用の部分配光パターンＰHi_Wideがやや明るいワイド明るめのものとなる。すなわち、走行ビーム用配光パターンＰHiを、車両周囲の状況に応じた（すなわち、走行環境に適した）ものとすることができる。
【０２３２】
また例えば、運転者等が車室内に設けられた配光選択スイッチ等を手動操作し、「ｗｉｄｅ重視配光」を選択することで、配光識別フラグに、手動で選択された配光が「ｗｉｄｅ重視配光」であることを示す情報（例えば「Ｌ５」）が設定されたとする。
【０２３３】
この場合、当該配光識別フラグに基づき、手動で選択された配光が「ｗｉｄｅ重視配光」であると判定され（ステップＳ１６：Ｌ５）、「ｗｉｄｅ重視配光処理」（ステップＳ２６）が実行される。
【０２３４】
この「ｗｉｄｅ重視配光処理」（ステップＳ２６）では、各々のアクチュエータ９２DO1、９２DO2、９２DO3が、ワイド用の光ファイバ３６Wide（出射端面）から出射するレーザー光の出力が相対的に高くなるように、各々のレーザー光源７４LL1、７４LL2、７４LL3（半導体レーザーＬＤLL1、ＬＤLL2、ＬＤLL3）からのレーザー光の光路中に配置される回折光学素子を切り替える。
【０２３５】
具体的には、各々のアクチュエータ９２DO1、９２DO2、９２DO3は、ＣＰＵ８８からの指示に従い、回折光学素子８０DO1-2、８０DO2-2、８０DO3-2を、それぞれ、第１レーザー光源７４LL1からのレーザー光ＲａｙLL1の光路中、第２レーザー光源７４LL2からのレーザー光ＲａｙLL2の光路中、第３レーザー光源７４LL3からのレーザー光ＲａｙLL3の光路中に配置する（図３２（ａ）中の「Ｌ５：ｗｉｄｅ重視」の行参照）。
【０２３６】
これにより、各々のレーザー光源７４LL1〜７４LL3からのレーザー光ＲａｙLL1〜ＲａｙLL3が、図３２（ｂ）中の「Ｌ５  ｗｉｄｅ重視」の行に示す各々の分光比で分光される。
【０２３７】
例えば、第１レーザー光源７４LL1からのレーザー光ＲａｙLL1が回折光学素子８０DO1-2での回折により１／２：１／４：１／４の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２３８】
同様に、第２レーザー光源７４LL2からのレーザー光ＲａｙLL2が回折光学素子８０DO2-2での回折により１／２：１／４：１／４の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２３９】
同様に、第３レーザー光源７４LL3からのレーザー光ＲａｙLL3が回折光学素子８０DO3-2での回折により１／２：１／４：１／４の割合で各々の集光レンズ７８Wide、７８Mid、７８Hotに向かい、各々の集光レンズ７８Wide、７８Mid、７８Hotで集光されて各々の光ファイバ３６Wide、３６Mid、３６Hotの入射端面に入射する。
【０２４０】
そして、以上のように各々の光ファイバ３６Wide、３６Mid、３６Hotの入射端面に入射したレーザー光は、各々の光ファイバ３６Wide、３６Mid、３６Hotにより灯具ユニット４０まで伝搬されて、各々の光ファイバ３６Wide、３６Mid、３６Hot（出射端面）から出射し、図２（ａ）に示す走行ビーム用配光パターンＰHiの形成に用いられる。
【０２４１】
その際、ワイド用の光ファイバ３６Wide（出射端面）、ミドル用の光ファイバ３６Mid（出射端面）、ホット用の光ファイバ３６Hot（出射端面）それぞれからの出力比は、３／２：３／４：３／４の関係となる（図３２（ｂ）参照）。すなわち、ワイド用の光ファイバ３６Wideの出射端部（出射端面）から出射するレーザー光の出力が相対的に高くなる（フル出力の３／２）。その結果、ワイド用の部分配光パターンＰHi_Wideの光度が変更され、走行ビーム用配光パターンＰHiは、当該ワイド用の部分配光パターンＰHi_Wideが明るいワイド重視のものとなる。すなわち、走行ビーム用配光パターンＰHiを、車両周囲の状況に応じた（すなわち、走行環境に適した）ものとすることができる。
【０２４２】
一方、ステップＳ１６で、配光設定情報として、自動(AUTO)であることを示す情報が格納されていると判定された場合（ステップＳ１６：AUTO）、ＡＵＴＯ制御配光処理（ステップＳ２８）が実行される。
【０２４３】
ＡＵＴＯ制御配光処理（ステップＳ２８）では、まず、ナビゲーション装置９６からナビ情報が、車速センサ９８ａから車速情報が、ワイパーセンサ９８ｂからワイパー情報が、雰囲気明るさセンサ９８ｃから周囲の明るさ情報が、それぞれ読み込まれる。
【０２４４】
そして、これらの情報に基づき、自動で配光が選択され、当該自動で選択された配光に応じて「ｈｏｔ重視配光処理」（ステップＳ１８）、「ｈｏｔ明るめ配光処理」（ステップＳ２０）、「基準配光処理」（ステップＳ２２）、「ｗｉｄｅ明るめ配光処理」（ステップＳ２４）、「ｗｉｄｅ重視配光処理」（ステップＳ２６）が実行される。
【０２４５】
例えば、ナビゲーション装置９６からのナビ情報に基づき、車両用灯具１００が搭載された自車両が現在高速（道路）走行中と判定された場合、自動で「ｈｏｔ重視配光」が選択され、「ｈｏｔ重視配光処理」（ステップＳ１８）が実行される。
【０２４６】
また例えば、ナビゲーション装置９６からのナビ情報に基づき、車両用灯具１００が搭載された自車両が現在市街地（道路）走行中と判定された場合、自動で「基準配光」が選択され、「基準配光処理」（ステップＳ２２）が実行される。
【０２４７】
また例えば、ナビゲーション装置９６からのナビ情報に基づき、車両用灯具１００が搭載された自車両が現在悪路（道路）走行中と判定された場合、自動で「ｗｉｄｅ重視配光」が選択され、「ｗｉｄｅ重視配光処理」（ステップＳ２６）が実行される。
【０２４８】
これ以外に、車速センサ９８ａからの車速情報、ワイパーセンサ９８ｂからのワイパー情報、雰囲気明るさセンサ９８ｃからの周囲の明るさ情報等に基づき、車両用灯具１００が搭載された自車両周囲の状況を判定し、当該判定された状況に応じて「ｈｏｔ重視配光処理」（ステップＳ１８）、「ｈｏｔ明るめ配光処理」（ステップＳ２０）、「基準配光処理」（ステップＳ２２）、「ｗｉｄｅ明るめ配光処理」（ステップＳ２４）又は「ｗｉｄｅ重視配光処理」（ステップＳ２６）を実行してもよい。
【０２４９】
上記ステップＳ１２〜Ｓ２８の処理は、ヘッドランプスイッチ９０がオフされる（ステップＳ３０：ＳＷ＝ＯＦＦ）まで繰り返し実行される。そして、ヘッドランプスイッチ９０がオフされた場合（ステップＳ３０：ＳＷ＝ＯＦＦ）、各々のレーザー光源７４LL1〜７４LL3（半導体レーザーＬＤLL1、ＬＤLL2、ＬＤLL3）の発振が停止され（ステップＳ３２）て各処理を終了する。
【０２５０】
次に、第１〜第３集光レンズ７８Wide、７８Mid、７８Hotの具体例について説明する。
【０２５１】
図３３（ａ）は、各々の回折光学素子８０DO1-1〜８０DO1-3、８０DO2-1〜８０DO2-3、８０DO3-1〜８０DO3-3で分光された各々のレーザー光を、各々の光ファイバ３６Wide、３６Mid、３６Hotにロスなく入射させることができる第１〜第３集光レンズ７８Wide、７８Mid、７８Hotの具体例（非球面レンズ）である。図３３（ａ）中の第１〜第３集光レンズ７８Wide、７８Mid、７８Hot（入射面及び出射面）は、次の式で表される非球面である。
【０２５２】
【数１】
0006354116.tif 000002
【０２５３】
すなわち、第１〜第３集光レンズ７８Wide、７８Mid、７８Hot（非球面レンズ）の断面カーブはレンズ中心線からレンズ外周方向に距離ｘだけ離れたときのサグ値で規定することができる。
【０２５４】
サグ値Ｓａｇ（ｘ）は、レンズ光軸中心線から距離ｘのときのレンズトップからの距離を表す。また、ｒは曲率半径（ｃ=0とした時の曲率半径）、ｃは非球面係数を表す。
【０２５５】
図３３（ｂ）は第１〜第３集光レンズ７８Wide、７８Mid、７８Hotに、その光軸に対して平行な光線が入射した場合に、当該光線が集光されて、光ファイバの入射面に入射する様子を表した図、図３３（ｃ）は第１〜第３集光レンズ７８Wide、７８Mid、７８Hotに、その光軸に対して１０°傾いた光線が入射した場合に、当該光線が集光されて、光ファイバの入射面に入射する様子を表した図である。
【０２５６】
なお、図３３（ａ）から図３３（ｃ）中の各々の光ファイバ３６Wide、３６Mid、３６Hotは、直径1mm、NA>0.82である。
【０２５７】
以上説明したように、本実施形態によれば、各部分配光パターンＰHi_Wide、ＰHi_Mid、ＰHi_Hot（又は各部分配光パターンＰLo_Wide、ＰLo_Mid、ＰLo_Hot）が重畳された走行ビーム用配光パターンＰHi（又はすれ違いビーム用配光パターンＰLo）を形成するように構成された車両用灯具において、少なくとも一つの部分配光パターン（例えばホット用の部分配光パターンＰHi_Hot）の光度を変更することができる。その結果、走行ビーム用配光パターンＰHi（又はすれ違いビーム用配光パターンＰLo）を、車両周囲の状況に応じた（すなわち、走行環境に適した）ものとすることができる。
【０２５８】
これは、部分配光パターンＰHi_Wide、ＰHi_Mid、ＰHi_Hot（又は各部分配光パターンＰLo_Wide、ＰLo_Mid、ＰLo_Hot）のうち少なくとも一つの部分配光パターン（例えばホット用の部分配光パターンＰHi_Hot）の光度を変更する光度変更手段（図３１参照）を備えたことによるものである。
【０２５９】
具体的には、光ファイバ３６Wide、３６Mid、３６Hotのうち少なくとも一つの光ファイバ（例えばホット用の光ファイバ３６Hot）の出射端面から出射するレーザー光の出力が相対的に高くなるように、レーザー光源７４LL1、７４LL2、７４LL3ごとに、当該レーザー光源からのレーザー光の光路中に配置される回折光学素子が切り替えられること、そして、その出力が相対的に高くなったレーザー光で特定の部分配光パターン（例えばホット用の部分配光パターンＰHi_Hot）が形成されること、によるものである。
【０２６０】
また、本実施形態によれば、各々のレーザー光源７４LL1、７４LL2、７４LL3（半導体レーザーＬＤLL1、ＬＤLL2、ＬＤLL3）のレーザー光出力を変更することなく、すなわち、各々のレーザー光源７４LL1、７４LL2、７４LL3（半導体レーザーＬＤLL1、ＬＤLL2、ＬＤLL3）のレーザー光出力を一定に保ったまま、少なくとも一つの部分配光パターン（例えばホット用の部分配光パターンＰHi_Hot）の光度を変更することができる。
【０２６１】
これは、レーザー光源７４LL1、７４LL2、７４LL3ごとに、当該レーザー光源からのレーザー光の光路中に配置される回折光学素子を切り替えることで、特定の部分配光パターン（例えばホット用の部分配光パターンＰHi_Hot）の光度が変更されることによるものである。
【０２６２】
また、本実施形態によれば、手動又は自動で、走行ビーム用配光パターンＰHi（又はすれ違いビーム用配光パターンＰLo）を、車両周囲の状況に応じた（すなわち、走行環境に適した）ものとすることができる。
【０２６３】
次に、上記実施形態の車両用灯具１００の変形例である車両用灯具１００Ａについて説明する。
【０２６４】
図３４は、変形例である車両用灯具１００Ａの概略構成図である。
【０２６５】
本変形例の車両用灯具１００Ａは、上記実施形態の車両用灯具１００を構成する灯具ユニット４０を、灯具ユニット４０Wide、４０Mid、４０Hotで置き換えたものに相当する。それ以外、上記実施形態の車両用灯具１００と同様の構成である。
【０２６６】
本変形例の灯具ユニット４０Wide、４０Mid、４０Hotは、プロジェクタ型の灯具ユニットであってもよいし、リフレクタ型の灯具ユニットであってもよいし、ダイレクトプロジェクション型（直射型とも称される）の灯具ユニットであってもよいし、それ以外の形態の灯具ユニットであってもよい。
【０２６７】
灯具ユニット４０Wide、４０Mid、４０Hotには、それぞれ、光ファイバ３６Wide、３６Mid、３６Hotの出射端部が取り付けられている。
【０２６８】
ワイド用の灯具ユニット４０Wideは、ワイド用の光ファイバ３６Wideにより伝搬されるレーザー光を用いて、図２（ａ）に示すワイド用の部分配光パターンＰHi_Wideを形成する。具体的には、ワイド用の灯具ユニット４０Wideは、ワイド用の光ファイバ３６Wideにより伝搬されるレーザー光により励起発光する蛍光体、及び、当該蛍光体からの光を前方に照射して、図２（ａ）に示すワイド用の部分配光パターンＰHi_Wideを形成するように構成された光学系（レンズ及び／又は反射鏡等）を備えている。
【０２６９】
同様に、ミドル用の灯具ユニット４０Midは、ミドル用の光ファイバ３６Midにより伝搬されるレーザー光を用いて、図２（ａ）に示すミドル用の部分配光パターンＰHi_Midを形成する。具体的には、ミドル用の灯具ユニット４０Midは、ミドル用の光ファイバ３６Midにより伝搬されるレーザー光により励起発光する蛍光体、及び、当該蛍光体からの光を前方に照射して、図２（ａ）に示すミドル用の部分配光パターンＰHi_Midを形成するように構成された光学系（レンズ及び／又は反射鏡等）を備えている。
【０２７０】
同様に、ホット用の灯具ユニット４０Hotは、ホット用の光ファイバ３６Hotにより伝搬されるレーザー光を用いて、図２（ａ）に示すホット用の部分配光パターンＰHi_Hotを形成する。具体的には、ホット用の灯具ユニット４０Hotは、ホット用の光ファイバ３６Hotにより伝搬されるレーザー光により励起発光する蛍光体、及び、当該蛍光体からの光を前方に照射して、図２（ａ）に示すホット用の部分配光パターンＰHi_Hotを形成するように構成された光学系（レンズ及び／又は反射鏡等）を備えている。
【０２７１】
本変形例によっても、図３１に示したのと同様の処理を実行することで、上記実施形態と同様の効果を奏することができる。
【０２７２】
上記実施形態及び各変形例で示した各数値は全て例示であり、これと異なる適宜の数値を用いることができる。
【０２７３】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０２７４】
１２…エクステンション、１４…集光レンズ、１６…アウターレンズ、１８…波長変換部材、２０…投影レンズ、２２…ハウジング、２４…灯室、３０…筐体、３６Hot、３６Mid、３６Wide…光ファイバ、４０、４０Hot、４０Mid、４０Wide…灯具ユニット、４６…光ファイバ保持部、４８…筒部、５０Ｄ、５０Ｌ、５０Ｕ…延長部、５２…蛍光体保持部、５２ａ…開口、５４…放熱部、５６…レンズホルダ、５８…光偏光器保持部、５８Ｄ…下面、５８Ｌ…左面、５８Ｒ…右面、５８Ｕ…上面、６６…レンズ、６８Hot、６８Mid、６８Wide…ＭＥＭＳ電源回路、７０…結合分配器、７４LL1、７４LL2、７４LL3…レーザー光源、７６LL1、７６LL2、７６LL3…コリメートレンズ、８０DO1（８０DO1-1〜８０DO1-3）、８０DO2（８０DO2-1〜８０DO2-3）、８０DO3（８０DO3-1〜８０DO3-3）…回折光学素子、１００、１００Ａ…車両用灯具
【図１】
0006354116.tif 000003
【図２】
0006354116.tif 000004
【図３】
0006354116.tif 000005
【図４】
0006354116.tif 000006
【図５】
0006354116.tif 000007
【図６】
0006354116.tif 000008
【図７】
0006354116.tif 000009
【図８】
0006354116.tif 000010
【図９】
0006354116.tif 000011
【図１０】
0006354116.tif 000012
【図１１】
0006354116.tif 000013
【図１２】
0006354116.tif 000014
【図１３】
0006354116.tif 000015
【図１４】
0006354116.tif 000016
【図１５】
0006354116.tif 000017
【図１６】
0006354116.tif 000018
【図１７】
0006354116.tif 000019
【図１８】
0006354116.tif 000020
【図１９】
0006354116.tif 000021
【図２０】
0006354116.tif 000022
【図２１】
0006354116.tif 000023
【図２２】
0006354116.tif 000024
【図２３】
0006354116.tif 000025
【図２４】
0006354116.tif 000026
【図２５】
0006354116.tif 000027
【図２６】
0006354116.tif 000028
【図２７】
0006354116.tif 000029
【図２８】
0006354116.tif 000030
【図２９】
0006354116.tif 000031
【図３０】
0006354116.tif 000032
【図３１】
0006354116.tif 000033
【図３２】
0006354116.tif 000034
【図３３】
0006354116.tif 000035
【図３４】
0006354116.tif 000036
【図３５】
0006354116.tif 000037